(57)【特許請求の範囲】
【請求項１】
ユーザ機器（ＵＥ）装置であって、
複数の候補スモールセルに関連する支援情報を受信するよう構成される受信機コンポーネントと、
前記支援情報に基づき１又は複数のセル選択パラメータを決定し、前記複数の候補スモールセルのサブセットを有するＵＥ固有セルセットを識別し、前記１又は複数のセル選択パラメータに基づき前記ＵＥ固有セルセットから第１のスモールセルを選択するよう構成される制御コンポーネントと、
前記制御コンポーネントによる前記第１のスモールセルの選択に応答して、アクセス要求メッセージ又はハンドオーバ要求メッセージを送信することにより、前記第１のスモールセルとのアクセス動作又はハンドオーバ動作を実施するよう構成される送信機コンポーネントと、
第１の周期を有する第１のＵＥポーリング信号を前記ＵＥ固有セルセットへ、及び第２の周期を有する第２のＵＥポーリング信号を前記複数の候補スモールセルへ、周期的に送信し、前記第１の周期は前記第２の周期より短く、前記第１のＵＥポーリング信号及び前記第２のＵＥポーリング信号により、前記ＵＥ固有セルセット及び前記複数の候補スモールセルからポーリング応答メッセージを開始するよう構成されるポーリングコンポーネントと、
を有するＵＥ装置。
【請求項２】
前記受信機コンポーネントは、マクロセルのマクロセルネットワーク装置から、又は前記複数の候補スモールセルのうちのサービングスモールセルのサービングスモールセルネットワーク装置から、前記支援情報を受信するよう更に構成され、前記複数の候補スモールセルは、前記マクロセルに通信可能に結合されるスモールセルの別のサブセットを有する、請求項１に記載のＵＥ装置。
【請求項３】
前記支援情報は、ＵＥ位置又はＵＥ移動性データに基づく、マクロセルに通信可能に結合されるスモールセルからの前記複数の候補スモールセルの識別情報、又はスモールセルクラスタの識別情報、を有する、請求項１に記載のＵＥ装置。
【請求項４】
前記制御コンポーネントは、セル固有参照信号に若しくはＵＥ固有ビーム形成同期信号に基づくダウンリンク測定から、前記ＵＥ固有セルセットを選択するよう更に構成される、請求項１に記載のＵＥ装置。
【請求項５】
前記送信機コンポーネントは、前記ＵＥ固有セルセットの選択を、前記複数の候補スモールセルに若しくは前記複数の候補スモールセルのうちのサービングスモールセルのサービングスモールセルネットワーク装置に通信可能に結合されるマクロセルのマクロセルネットワーク装置へ、送信するよう更に構成される、請求項１に記載のＵＥ装置。
【請求項６】
前記支援情報は、前記複数の候補スモールセルに関連するシステム情報と、物理セル識別情報（ＰＣＩ）、搬送波周波数、フレームタイミングデータ、巡回プレフィックス長、及びポーリングリソースのうちの少なくとも１つと、を有する、請求項１に記載のＵＥ装置。
【請求項７】
前記送信機コンポーネントは、ポーリング信号を、マクロセルの中の前記複数の候補スモールセルの複数の候補スモールセルネットワーク装置に通信するよう更に構成され、前記受信機コンポーネントは、前記ポーリング信号に応答して、ポーリング応答メッセージを、前記複数の候補スモールセルネットワーク装置のうちの少なくとも１つ又は前記マクロセルのマクロセルネットワーク装置から受信するよう更に構成され、前記制御コンポーネントは、前記ポーリング応答メッセージに基づき、前記ＵＥ固有セルセットを識別するよう更に構成される、請求項１に記載のＵＥ装置。
【請求項８】
前記ポーリング応答メッセージは、前記ＵＥ固有セルセットの更新システム情報、ＵＥ固有同期信号、アップリンクタイミングアドバンス値、アップリンクリソース割り当て情報、及びセル無線ネットワーク一時識別子（Ｃ−ＲＮＴＩ）のうちの少なくとも１つを有する、請求項７に記載のＵＥ装置。
【請求項９】
前記複数の候補スモールセルのブロードキャストシステム情報（ＳＩ）メッセージをバッファリングするよう構成されるバッファコンポーネント、
を更に有し、前記制御コンポーネントは、前記ＵＥ固有セルセットを又は前記ＵＥ固有セルセットから前記第１のスモールセルを選択するために、前記ブロードキャストＳＩメッセージを復号化するよう構成される、
請求項１に記載のＵＥ装置。
【請求項１０】
前記制御コンポーネントは、ビーム形成アップリンクサウンディング参照信号（ＳＲＳ）を周期的に送信し、前記１又は複数のセル選択パラメータを決定するためのダウンリンク測定が実行されるべきビーム形成ダウンリンク同期信号（ＳＳ）を受信するよう構成される、請求項１に記載のＵＥ装置。
【請求項１１】
前記送信機コンポーネントは、前記ＵＥ装置が接続される第２のスモールセルのリンク品質の低下が観察されること、又は前記ＵＥ固有セルセットの中で所定の閾を満たす前記リンク品質を有するスモールセルの数の減少、のうちの少なくとも１つを含むトリガイベントに応答して、ＵＥポーリング信号を送信するよう更に構成され、前記送信機コンポーネントは、マクロセル周波数レイヤで測定レポートを送信するよう更に構成され、前記測定レポートは、前記ＵＥ固有セルセットについてのダウンリンク測定結果を含む、請求項１に記載のＵＥ装置。
【請求項１２】
コンピュータプログラムであって、プロセッサに工程を実行させ、前記工程は、
ユーザ機器（ＵＥ）により、マクロセルに通信可能に結合される複数のスモールセルのうち、マクロセルに支援されるスモールセルネットワークの中でＵＥがアクセスするよう構成される候補スモールセルセットに関連する支援データセットを受信するステップと、
前記支援データセットに基づき、前記候補スモールセルセットのサブセットを含むＵＥ固有セルセットを識別するステップと、
アクセス動作又はハンドオーバ動作を実現するために、前記ＵＥ固有セルセットの識別情報を送信するステップと、
１又は複数のセル選択パラメータに基づき、前記ＵＥ固有セルセットから第１のスモールセルを選択し、前記第１のスモールセルの第１のスモールセルネットワーク装置への前記アクセス又はハンドオーバ動作を指示するステップと、
アップリンク測定に基づき前記１又は複数のセル選択パラメータを決定するために、第１の周期を有する第１のＵＥポーリング信号を前記ＵＥ固有セルセットへ、及び第２の周期を有する第２のＵＥポーリング信号を、前記候補スモールセルセットの候補スモールセルネットワーク装置セットへ、周期的に送信するステップであって、前記第１の周期は前記第２の周期より短い、ステップと、
を有する、コンピュータプログラム。
【請求項１３】
前記工程は、
前記１又は複数のセル選択パラメータに基づき、前記ＵＥ固有セルセットから第２のスモールセルを選択するステップと、
アクセス要求メッセージ又はハンドオーバ要求メッセージを、前記第２のスモールセルの第２のスモールセルネットワーク装置へ送信するステップと、
前記第１のスモールセルから前記第２のスモールセルへの前記ハンドオーバ動作を実施するステップと、
を更に有する、請求項１２に記載のコンピュータプログラム。
【請求項１４】
前記工程は、
前記マクロセルにより支援されるスモールセルネットワークの中のＵＥ位置情報又はＵＥ移動性パラメータのうちの少なくとも１つに基づき、前記候補スモールセルセットを決定するステップ、
を更に有する、請求項１２に記載のコンピュータプログラム。
【請求項１５】
前記工程は、
前記ＵＥ固有セルセットの前記識別情報を、前記候補スモールセルセットのうちの１又は複数のスモールセルの１又は複数のスモールセルネットワーク装置から受信するステップであって、前記ＵＥ固有セルセットは、アップリンク測定、ダウンリンク測定、又は前記候補スモールセルセットのアクセス負荷情報、のうちの少なくとも１つに基づき識別される、ステップ、
を更に有する、請求項１２に記載のコンピュータプログラム。
【請求項１６】
前記アップリンク測定は、前記候補スモールセルセットの候補スモールセルネットワーク装置セットにより受信される、ＵＥポーリング信号、アップリンクサウンディング参照信号、又はランダムアクセスプリアンブル、のうちの少なくとも１つに基づき、前記ダウンリンク測定は、前記候補スモールセルネットワーク装置セットにより送信される、セル固有参照信号又はＵＥ固有ビーム形成同期信号のうちの少なくとも１つに基づく、請求項１５に記載のコンピュータプログラム。
【請求項１７】
前記工程は、
１又は複数のスモールセルの１又は複数のスモールセルネットワーク装置から１又は複数のポーリング応答メッセージを受信するステップであって、前記１又は複数のポーリング応答メッセージは、前記ＵＥ固有セルセットの最新システムデータ、ＵＥ固有同期信号、アップリンクタイミングアドバンス値、アップリンクリソース割り当てデータ、又はセル無線ネットワーク一時識別子（Ｃ−ＲＮＴＩ）、のうちの少なくとも１つを含む、ステップ、
を更に有する、請求項１２に記載のコンピュータプログラム。
【請求項１８】
前記工程は、
前記マクロセルを介して通信される前記候補スモールセルセットに対するブロードキャストシステム情報（ＳＩ）メッセージをバッファリングし、前記ＵＥ固有セルセットの前記ブロードキャストＳＩメッセージを復号化するステップ、
を更に有する、請求項１２に記載のコンピュータプログラム。
【請求項１９】
前記工程は、
周期的にビーム形成アップリンクサウンディング参照信号（ＳＲＳ）を送信しビーム形成ダウンリンク同期信号（ＳＳ）を受信することにより、前記第１のスモールセルについてダウンリンク測定を実行するステップ、
を更に有する、請求項１２に記載のコンピュータプログラム。
【請求項２０】
前記工程は、
前記第１のスモールセルのリンク品質の少なくとも１つの低下又は前記ＵＥ固有セルセットの中で所定の閾を満たす前記リンク品質を有するスモールセルの数の減少を有するイベントトリガに応答して、ＵＥポーリング信号を送信するステップ、
を更に有する、請求項１２に記載のコンピュータプログラム。
【請求項２１】
前記工程は、
マクロセル周波数レイヤで測定レポートの中で前記ＵＥ固有セルセットのダウンリンク測定結果を通信するステップ、
を更に有する、請求項１２に記載のコンピュータプログラム。
【請求項２２】
請求項１２乃至２１のいずれか一項に記載のコンピュータプログラムを格納したコンピュータ可読記憶媒体。
【発明の詳細な説明】
【技術分野】
【０００１】
［関連出願の参照］
本願は、米国仮特許出願番号第６２／０５８６１９号、２０１４年１０月１日出願、名称「METHOD  FOR  EFFICIENT  MOBILE  COMMUNICATION  IN  MACRO−CELL  ASSISTED  SMALL  CELL  NETWORKS」の利益を請求する。該出願は、参照によりその全体が本願明細書に組み込まれる。
【０００２】
＜技術分野＞
本開示は、無線通信に関連し、より具体的には、マクロセルにより支援されるスモールセルネットワークにおけるモバイル通信に関する。
【背景技術】
【０００３】
現在のＬＴＥ−Ａｄｖａｎｃｅｄシステム（最大で１００ＭＨｚ）よりも遙かに広範なチャネル帯域幅（例えば、１〜４ＧＨｚ）を用いる高周波数帯域（High  frequency  band：ＨＦＢ）無線アクセス技術（radio  access  technology：ＲＡＴ）は、１０〜１００Ｇｂｐｓ（ギガビット毎秒）のデータレートを提供することが期待される。ＨＦＢチャネルにおける大きな経路損失のために、信頼できる無線リンクを維持するためには適正な送信（Ｔｘ）及び受信（Ｒｘ）ビーム形成が重要である。非常に指向性のあるビームが経路損失を補償するために使用されるとき、物理リンク品質は、最適なＴｘ／Ｒｘビーム方向を変えてしまい、経路損失の急激な変化を生じ得る、ユーザ機器（例えば、モバイル装置）の動き及び伝搬環境の僅かな変化の影響を受けやすい。したがって、頻繁な無線リンク障害（radio  link  failure：ＲＬＦ）及びハンドオーバ動作に伴うような関連するサービングセルの変化が、ＨＦＢ  ＲＡＴに基づくスモールセルネットワークの中で予測される。
【図面の簡単な説明】
【０００４】
【図１】開示の種々の態様に従い利用され得る無線通信環境を示すブロック図である。
【図２】開示の種々の態様に従うポーリング信号に基づくアクセス手順を説明する別のデータフローである。
【図３】開示の種々の態様に従うポーリング信号に基づくハンドオーバ手順を説明するデータフローである。
【図４】開示の種々の態様に従うブロードキャストに基づくハンドオーバ手順を説明するデータフローである。
【図５】開示の種々の態様に従うアクセス又はハンドオーバ手順のための方法を説明するフロー図である。
【図６】開示の種々の態様に従う例示的なスモールセルネットワーク装置、アクセスポイント、又はユーザ機器装置である。
【図７】開示の種々の態様を実施する例示的な無線ネットワークプラットフォームの図である。
【発明を実施するための形態】
【０００５】
本開示は、添付の図面を参照して記載される。ここで、全体を通じて同様の参照符号は同様の要素を表すために使用され、図示の構造及び装置は、必ずしも縮尺通りに描かれない。本願明細書で使用されるとき、用語「コンポーネント」、「システム」、「インタフェース」等は、コンピュータ関連エンティティ、ハードウェア、及び（例えば、実行されている）ソフトウェア、及び／又はファームウェアを表すことを意図している。例えば、コンポーネントは、プロセッサ、プロセッサ上で実行するプロセス、制御部、回路若しくは回路素子、オブジェクト、実行ファイル、プログラム、記憶装置、コンピュータ、タブレットＰＣ、及び／又は処理装置を備える移動電話機、であり得る。説明のため、サーバで動作するアプリケーション及びサーバも、コンポーネントであり得る。１又は複数のコンポーネントは、プロセス内に存在でき、コンポーネントは１つのコンピュータに及び／又は２以上のコンピュータに分散されてローカライズされ得る。要素のセット又は他の要素のセットが本願明細書に記載され得る。ここで、用語「セット」は、「１又は複数の」として解釈できる。
【０００６】
さらに、これらのコンポーネントは、コンピュータ可読記憶媒体であって、例えばモジュールを有するような、それに格納される種々のデータ構造を有する種々のコンピュータ可読記憶媒体から実行できる。コンポーネントは、１又は複数のデータパケット（例えば、ローカルシステム、分散システムの中で、及び／又は他のシステムを有するインターネット、ローカルエリアネットワーク、ワイドエリアネットワーク、又は同様のネットワークのようなネットワークに渡り、別のコンポーネントと信号により相互作用するあるコンポーネントからのデータ）を有する信号に従うようなローカル及び／又はリモートプロセスにより通信できる。
【０００７】
別の例として、コンポーネントは、電気又は電子回路により作動される機械的部分により提供される特定の機能を備える装置であり得る。ここで、電気又は電子回路は、１又は複数のプロセッサにより実行されるソフトウェアアプリケーション又はファームウェアアプリケーションにより作動され得る。１又は複数のプロセッサは、装置の内部又は外部に存在でき、ソフトウェア又はファームウェアアプリケーションの少なくとも一部を実行できる。更に別の例として、コンポーネントは、機械的部分を伴わず電子コンポーネント又は要素を通じて特定機能を提供する装置であり得る。電子コンポーネントは、少なくとも部分的に電子コンポーネントの機能を与えることができるソフトウェア及び／又はファームウェアを実行するために１又は複数のプロセッサを含むことができる。
【０００８】
用語「例示的な」の使用は、具体的方法で概念を提示することを意図している。本願で使用されるとき、用語「又は」は、排他的な「又は（ｏｒ）」ではなく、包括的な「又は（ｏｒ）」を意味することを意図している。つまり、特に断りのない限り、又は文脈から明らかでない限り、「ＸがＡ又はＢを用いる」は、自然な包括的な順列のうちの任意のものを意味することを意図している。つまり、ＸはＡを用いる、ＸはＢを用いる、又はＸはＡ及びＢを用いる場合、「ＸはＡ又はＢを用いる」は、前述の例のうちの任意のものにより満たされる。さらに、本願明細書及び添付の請求の範囲で使用される冠詞「１つの（「ａ」及び「ａｎ」）」は、特に断りのない限り又は単数形式を対象としていることが文脈から明らかでない限り、概して「１又は複数」を意味すると考えられるべきである。さらに、用語「含む（including）」、「有する（having、has）」、「伴う（with）」、又はこれらの他の変形が詳細な説明及び請求項において使用される限り、このような用語は、用語「有する（comprising）」と同様に包含を意図する。
【０００９】
＜序論＞
上述の欠点を考慮すると、頻繁なサービングセルの変化は、スモールセルネットワークを生成する多数のスモールセルネットワーク装置（スモールセル）が密集して展開されるときに、生じ得る。本鍛冶に記載の処理は、マクロセルネットワークの中に密集して展開されるスモールセルネットワーク装置の異種ネットワークの中で、高速セル関連付け及びハンドオーバを達成できる。移動体若しくは無線装置（例えば、ユーザ機器（ＵＥ））とネットワーク装置との間の関連付け及びハンドオーバは、ＵＥがサービングセル（例えばスモールセル又は他のセル）との粗悪な無線リンク状態又は他のサービス品質（ＱｏＳ）対価に苦しんでいるとき、高速リンク再確立のために、より大きなマクロセルネットワークの中のマクロセルネットワーク装置により支援され得る。これらの処理の専用（支援）情報は、ＵＥが自身にアクセス又はハンドオーバを指示する際に支援するために、ＵＥ、マクロセルネットワーク装置、又はマクロセルネットワークの中のスモールセルネットワーク装置のうちの任意の１つにより決定され共有できる。
【００１０】
支援情報（データ）は、ＵＥによるスモールセルネットワークのセル識別及びセル測定を可能にする、マクロセルに関連付けられるスモールセルに関する専用支援情報を表し得る。専用支援情報は、セル固有パラメータを含み、及び、例えばＵＥ位置データ、ＵＥ移動性状態推定データ、又はネットワーク装置のアクセス／負荷データの関数であり得る。さらに、セルは、無線リソースを表し、チャネル帯域幅に対応するダウンリンク／アップリンク搬送波周波数、及び１又は複数のセル識別情報により定めることができる。ネットワークは、１又は複数のセルを提供する物理エンティティとして１又は複数のプロセッサ、メモリ、通信回路等を含み得る１又は複数のＵＥに又はネットワーク装置に接続された１又は複数のセルを表し得る。
【００１１】
特に、ＵＥは、二重接続性（例えば、ＵＥとのマクロ及びスモールセルネットワーク接続性）又はキャリアアグリゲーションを有する異種ネットワークの中で、及びマクロセルネットワークから又はスモールセルネットワーク装置のうちの１つからの支援データにより、関連付け及びハンドオーバを自身のために直接開始するよう構成される。マクロセルネットワーク装置は、密集して展開されたスモールセルネットワーク装置の間で効率的なアクセス又はハンドオーバを自身に指示するために、ＵＥと支援情報を共有するよう動作できる。一例では、ＵＥ装置は、他のスモールセルよりもＵＥのサービング又は目標セルになる可能性の高い候補として考えられる候補スモールセルに関連する支援情報を受信できる受信コンポーネントを有する。ＵＥの制御コンポーネントは、候補スモールセルのサブセットを含むＵＥ固有セルセットを識別するよう構成され得る。ＵＥは、制御コンポーネントを利用して、更に、例えば、支援データに基づきＵＥにより測定され又は受信されたスモールセル選択パラメータに基づき、ＵＥ固有セルセットの中から第１のスモールセルを選択する。ＵＥは、さらに、選択した第１のスモールセルへのアクセス又は自身のハンドオーバを直接開始できる。ＵＥの送信機コンポーネントは、選択した第１のスモールセルとのアクセス又はハンドオーバ動作を指示するために、アクセス要求メッセージ又はハンドオーバ要求メッセージを送信できる。本開示の追加の態様及び詳細事項は、図を参照して以下に更に記載される。
【００１２】
図１を参照すると、記載の種々の態様に従い通信ネットワークの中でＵＥ１２０に通信サービスを提供する無線ネットワークプラットフォーム１００の一例が示される。無線ネットワークプラットフォーム１００は、１又は複数のユーザ機器（ＵＥ）装置１２０のためにネットワークカバレッジゾーン又は無線ネットワークとしてマクロセルネットワーク装置１０８（例えば、基地局、アクセスノード、ｅＮｏｄｅＢ、ｅＮＢ又は同様の装置）により生成され得る１又は複数のマクロセル１０２（例えば、ＬＴＥ（long  term  evolution）技術）と、スモールセルネットワーク装置１１０〜１１８により生成される１又は複数のスモールセルと、を有し得る。効率的なセル関連付け、ハンドオーバ、及び無線リンク回復処理は、マクロセルにより支援されるスモールセルネットワークのようなプラットフォーム１００により実行できる。ＵＥ装置１２０、マクロセルネットワーク装置１０８、及びスモールネットワーク装置１１０〜１１８は、ＵＥ１２０がそれ自体のアクセス及びハンドオーバ動作の制御に参加できるようにすることにより、これらのネットワーク装置のハンドオーバ失敗率、中断時間、及び電力消費を低減するよう動作できる。
【００１３】
本開示の種々の態様の中で、（例えば、スモールセルネットワーク装置１１０〜１１８により提供される）ＬＴＥ支援ミリ波（ｍｍＷ）スモールセルの検出及び関連付け手順は、専用支援情報に基づき、ＵＥ１２０により直接実現できる。この支援情報は、ＵＥ１２０、マクロセルネットワーク装置１０８、スモールセルネットワーク装置１１０〜１１８のうちの任意のもの、又はそれらの組合せにより部分的に決定できる。支援情報は、さらに、スモールセルとの又はスモールセルネットワーク装置との二重接続性を有しながら、マクロセルネットワーク装置１０８からのＵＥ１２０とのような効率的な動作を可能にするために、これらのネットワーク装置の間で共有できる。支援情報は、マクロセル１０２に関連付けられるｍｍＷセル又はスモールセルに関連する専用支援情報として参照されても良く、例えばマクロセル１０２の中のスモールセルのＵＥ１２０によるセル識別及びセル測定を可能にする。支援情報は、物理セル識別情報（physical  cell  identity：ＰＣＩ）、搬送波周波数、フレームタイミング情報、又は巡回プレフィックス（cyclic  prefix：ＣＰ）長を含むことができ、例えば、マクロセルネットワーク装置１０８により又はサービングスモールセルネットワーク装置１１６から、ＵＥ１２０へ送信され得る。
【００１４】
支援情報に基づき、ＵＥ１２０は、マクロセルネットワーク装置１０８により提供されるマクロセル１０２の中の（例えば、スモールセルネットワーク装置１１０〜１１８により提供される）１又は複数のスモールセルに対する種々の測定値を生成するよう動作できる。ＵＥ１２０は、検出したスモールセルに関連する測定レポートを、マクロセルネットワーク装置１０８へ低搬送波周波数（ＬＴＥインタフェース）を介して、又はスモールセルネットワーク装置１１０〜１１８のうちの１つへ、送信し、並びに、関連情報（例えば、スモールセルに対応するシステム情報、又は目標セルを選択するための支援情報）をマクロセルネットワーク装置１０８又はスモールセルネットワーク装置１１０〜１１８のうちの１つから受信するよう動作できる。
【００１５】
マクロセルネットワーク装置１０８は、例えば、ＵＥ１０８及びスモールセルネットワーク装置１１０〜１１８とのアクセス、ハンドオーバ、ビーム形成、二重接続性（つまり、ＵＥがマクロセルとスモールセルとの間に接続される）又は他の動作を含む接続処理のような管理動作を支援でき、ＵＥ１２０、マクロセル１０２の中のスモールセルネットワーク装置１１０〜１１８、マクロセルネットワーク装置１０８自体、他のＵＥ、又はネットワーク装置との接続、アクセス、解放、ハンドオーバ動作、又は他のＵＥネットワーク管理処理を制御するよう構成することもできる。例えば、マクロセルネットワーク装置１０８は、どのスモールセルが、ＵＥ１２０のためのサービング（目標）スモールセルネットワーク装置又はサービングｅＮＢ（例えば、スモールセルネットワーク装置１１４）として動作する可能性の高い候補スモールセル１０４として考えられるかを決定できる。ＵＥ１２０は、次に、候補セルのサブセット（ＵＥ固有セルセット）及び最終的には選択された目標セルを決定するために、マクロセルネットワーク装置１０８からの支援情報により、スモールセルに対して自身の測定を実行できる。マクロセルネットワーク装置１０８は、例えば、任意のＵＥ位置情報、ＵＥ移動性状態推定、スモールセル負荷情報、ネットワーク展開情報、１又は複数のより低い若しくはより高い搬送波周波数レイヤに関するＵＥ測定レポート、又は他のデータに基づき、支援情報を決定できる。
【００１６】
上述のように、ＵＥ１２０は、自身の実行した測定値を生成でき、又は支援データから、候補スモールセル１０４の（全部より少ないが、そのうちの少なくとも１つの）サブセットを含むＵＥ固有セルセット１０６を決する。ＵＥ１２０は、ＵＥ固有セルセット１０６からのアクセス又はハンドオーバのより高い可能性を有するセルを動的に監視し、目標セルを選択できる。例えば、ＵＥ１２０は、アクセス又はハンドオーバのために、ＵＥ固有セルセット１０６の中のスモールセルの間で、スモールセルネットワーク装置１１６のスモールセル１２２を選択できる。マクロセルネットワーク装置１０８は、ＵＥ固有セルセット１０６の中からのＵＥ１２０によるスモールセルの選択又はＵＥ固有セルセット１０６の選択に基づき、可能性の高いアクセス又はハンドオーバ動作に備えてスモールセルネットワーク装置を準備するために、ＵＥコンテキスト情報又は他のデータを、ＵＥ固有セルセット１０６の中のスモールセルｅＮＢ（例えば、スモールセルネットワーク装置１１４、１１６）にＸ２インタフェースを介して通信できる。
【００１７】
ＵＥ固有セルセット１０６は、例えば、ＵＥ１２０のための候補スモールセル１０４の中の最適セルセットを有し得る。ここで、最適セルセットは、アップリンク及び／又はダウンリンク測定データに基づき選択され、候補スモールセルは、ＵＥ１２０の位置若しくは移動性状態、及び／又はスモールセルネットワーク装置１１０〜１１８のアクセス／負荷データに基づく。例えば、候補セル１０４は、マクロセル１０２の中の全てのスモールセルの中で、第１の閾を満たすことができる。一方、ＵＥ固有セルセットは、追加の閾を満たすことができ、又は１又は複数のパラメータに関してより高いランク付けを有する。さらに、マクロセルネットワーク装置１０８又はＵＥ１２０は、候補である又はＵＥ固有セルセット１０６として、スモールセル１０４を決定するよう動作できる。例えば、マクロセルネットワーク装置１０８は、支援データと一緒に候補セル１０４を提供でき、又はこれらの候補に関する支援データをＵＥ１２０に提供するだけで、ＵＥ１２０がＵＥ固有セルセット１０６を更に決定できる。ＵＥ１２０は、さらに、例えばＵＥ固有セルセット１０６の測定に基づき、ハンドオーバ又はアクセスのために自身の目標セルを手助けできる。
【００１８】
さらに、マクロセルネットワーク装置１０８は、ＵＥ固有セルセット１０６の指示をＵＥ１２０から受信し、マクロセルを介してデータを通信できる。したがって、サブセットの中の各々のスモールセルネットワーク装置は、リソース割り当て（例えば、ランダムアクセス又はポーリングリソース）、ＵＥ１２０に関連する識別データ（ＵＥコンテキスト情報）、近隣セルリスト、等を有するような、自身のデータを更新できる。マクロセルネットワーク装置１０８は、ＵＥ固有セルセット１０６のスモールセルネットワーク装置の各々において、ＵＥ１２０のリソースデータ（例えば、支援データ、ネットワーク装置／ＵＥパラメータ、アクセス／負荷データ、候補装置リストデータ、ＵＥ固有セルセット、等）も更新できる。
【００１９】
マクロセルネットワーク装置１０８、又は１又は複数のスモールセルクラスタヘッド（例えば、図１の特定のクラスタ１１０〜１１８のうちのリード又は管理スモールセル装置）は、さらに、ＵＥポーリングリソース（例えば、時間／周波数無線リソース及びプリアンブルシーケンス）を管理し、２１０で、ＵＥの候補セルに、又は特定のクラスタ１１０〜１１８の中の他のスモールセルネットワーク装置に、直接に又は候補１０４として考えられるネットワーク装置を有する各々のクラスタの中での宣伝により、ＵＥ１２０のために選択されたポーリングリソースを知らせることができる。この場合、ポーリングリソースは、スケジュールに基づくポーリング信号送信のためのもの又は競合の無いランダムアクセス型送信（例えば、統計的時分割多重方式、等）のためのものであり得る。代替で、候補スモールセル１０４は、競合に基づくポーリング信号送信のために使用される時間／周波数無線リソースセット及びプリアンブルシーケンスに関連する知識のみによって、ＵＥポーリング信号のブラインド検出を実行できる。
【００２０】
代替又は追加で、ＵＥ１２０、マクロセルネットワーク装置１０８、又はスモールセルネットワーク装置１１０〜１１８のうちの任意の者は、ＵＥ１２０及びスモールセルネットワーク装置１１０〜１１８とのアクセス又はハンドオーバを実現するために、上述と同様の処理により動作できる。例えば、ＵＥ１２０は、目標スモールセルネットワーク装置１１４を選択し、マクロセルネットワーク装置１０８及びスモールセルネットワーク装置１１４に該選択を通知することにより、アクセス又はハンドオーバを開始できる。さらに、スモールセルネットワーク装置（例えば、１１４）は、近隣スモールセルネットワーク装置１１０〜１１８に関する支援情報を取得し又は決定し、さらに、例えば候補装置、ＵＥ固有セルセット装置、又は目標スモールセルネットワーク装置の選択のためにも、該情報をマクロセルネットワーク装置１０８又はＵＥ１２０と共有することもできる。
【００２１】
セルラネットワークプラットフォーム１００の中で、スモールセルネットワーク装置１１０〜１１８は、各々のスモールセルネットワーク装置１１０〜１１８を囲むように示される対応するスモールセルを生成する。１又は複数のスモールセルを有するスモールセルネットワークは、例えば、少なくとも１ＧＨｚから約６ＧＨｚまでの周波数で動作でき、１又は複数のＵＥ１２０に無線カバレッジゾーン又はスモールセルを提供する。これらのスモールセルネットワーク装置１１０〜１１８は、マクロセルネットワーク装置１０８又は他の無線アクセスノードと比べてより小さなゾーン又は領域をカバーし及びより低い電力の無線アクセスノードを使用する対応するスモールセルを生成できる。スモールセルネットワーク装置１１０〜１１８は、例えば、フェムトセルネットワーク装置、マイクロセルネットワーク装置、ピコセルネットワーク装置、又はマクロセル１０２より小さなカバレッジゾーンを生成する他の種類のネットワーク装置を有し、二重接続性又はキャリアアグリゲーションをサポートする異種ネットワークにおいてハンドオーバ動作のために追加のスモールセルネットワーク装置と共に動作できる。
【００２２】
さらに、スモールセルネットワーク装置１１０〜１１８は、ｍｍＷネットワークのためのような高周波数範囲での通信のために、例えば約３０ＧＨｚから１００ＧＨｚの搬送波周波数範囲のミリメートル波長で動作できるスモールセルを生成できる。スモールセルは、例えば１ＧＨｚから４ＧＨｚまでの周波数範囲及び最大で約１００ＧＨｚ以上の高周波数帯域（high  frequency  band：ＨＦＢ）の周波数スペクトルを利用できる。
【００２３】
スモールセルネットワーク装置１１０〜１１８により提供される密集して展開されるスモールセルのクラスタは、同じ物理セル識別情報（ＰＣＩ）を有するような特定のクラスタを識別するクラスタ識別情報を用いることにより、理想的なバックホールリンクに基づき送信及び受信のために動作できる。クラスタの識別情報は、さらに、頻繁なハンドオーバによるシグナリングオーバヘッド及びサービス中断を低減するために、マクロセル１０２の中のネットワーク装置（例えば、マクロセルネットワーク装置１０８、スモールセルネットワーク装置、又はＵＥ１２０）によっても利用できる。例えば、スモールセルネットワーク装置１１０は、それぞれ他のスモールセルネットワーク装置１１２、１１４、１１６、又は１１８のクラスタから、同じクラスタの部分であるスモールセルネットワーク装置の各々を識別するために、互いに共通に共有される１つのＰＣＩを有することができる。さらに、各々ｎクラスタの中のクラスタヘッド又は管理スモールセルネットワーク装置は、各々のクラスタの中のアクセス及びハンドオーバのために、ＵＥ１２０に関連する情報を宣伝し及び共有するよう動作できる。さらに、管理又はクラスタヘッドネットワーク装置は、所与のＵＥについて、ＵＥ１２０に関連して動的に変更され得る。したがって、例えば１１６とラベル付けされた任意のネットワーク装置は、同じＰＣＩ又は他の識別パラメータを有するネットワーク装置１１６のクラスタヘッド装置として動作し又は機能し得る。
【００２４】
別の態様では、候補スモールセル１０４は、マクロセルネットワーク装置１０８のカバレッジゾーンの中のスモールセルネットワーク装置１１０、１１２、１１４、１１６、１１８により提供されるスモールセルのサブセット又は全部より少ないスモールセルを有し得る、スモールセル１０４のグループであり得る。候補スモールセル１０４は、マクロセルネットワーク装置１０８、ＵＥ１２０、マクロセル１０２の中の特定のスモールセルネットワーク装置、又は他のネットワーク装置（例えば、スモールセルネットワーク装置のグループの中のクラスタヘッド／マネジャ）により識別できる。例えば、マクロセルネットワーク装置１０８は、スモールセルネットワーク装置の各々のクラスタを、マクロセル１０２の中のスモールセルネットワーク装置のサブセットとして、及びスモールセルクラスタが候補ネットワーク装置としての閾パラメータを満たすクラスタの特定のネットワーク装置（例えば、スモールセルネットワーク装置１１４、１１６、１１８）として、識別するよう構成できる。クラスタ１１０〜１１８の各々は、互いの間で１又は複数の同様の特徴又はパラメータ（例えば、ＰＣＩ、又は互いに若しくはＵＥ１２０に対する位置、距離、識別情報タグ、等のような多の動作パラメータ）に従い各々のクラスタの中で識別され又は分類された多数（１又は複数）のスモールセルネットワーク装置を有することができる。
【００２５】
スモールセルネットワーク装置１１０〜１１８、候補スモールセル１０４、スモールセルネットワーク装置クラスタ１１０〜１１８、又はスモールセルネットワーク装置１１４、１１６及び１１８のクラスタの識別情報は、１又は複数のパラメータ又はセルパラメータにも基づき得る。候補スモールセル１０４は、例えば、所定の閾を満たすパラメータセット若しくは基準に、又は検出された若しくはマクロセル１０２の中のスモールセルの全部の間のランク付けに基づき識別できる。スモールセルの識別のためのこれらのパラメータは、ＵＥ１２０とのアクセス又はハンドオーバ動作のためにマクロセル１０２の中の１又は複数のスモールセル（例えば、スモールセル１２２）を決定するための、本願明細書で議論されるセル選択パラメータとしても考えられる。パラメータは、ＵＥ装置１２０、マクロネットワーク装置１０８、スモールセルネットワーク装置１１０〜１１８、ネットワーク装置間の接続又はサービス品質（ＱｏＳ）に関連するデータを含み得る。
【００２６】
一態様では、セル選択パラメータのうちの１又は複数は、アクセス又はハンドオーバ動作のための、１又は複数の候補スモールセル１０４、候補スモールセル１０４の中のＵＥ固有セルセット１０６、又はＵＥ固有セルセット１０６の中からスモールセルネットワーク装置を有するデータセットを生成し、識別し、又は決定するために、ＵＥ装置１２０、マクロセルネットワーク装置１０８、又はスモールセルネットワーク装置１１０〜１１８のうりの任意の１つにより測定できる。これらのセル選択パラメータは、マクロセル１０２の中のＵＥ位置情報を含み得る。このＵＥ位置情報は、例えば、全地球測位システム（ＧＰＳ）、ガレリオ又は多の地理的測位システムと同様の衛星測位システムに基づく地理的データのような粗い若しくは近似のＵＥ位置情報であり得る。位置情報は、接続、通信、距離、又はＵＥ１２０若しくはネットワーク装置１０８〜１１８の他の特性に基づき得る。
【００２７】
他の態様では、セル選択パラメータは、さらに、ＵＥ１２０、マクロセルネットワーク装置１０８、又はスモールセルネットワーク装置１１０〜１１８により決定され得る、ネットワーク１０４の中のＵＥ１２０又はネットワーク装置の移動性情報を有し得る。このような移動性情報は、ＵＥ１２０又は無線ネットワークプラットフォーム１００のネットワーク装置に関する移動若しくは移動性情報を決定するために使用できる、加速度、方向、速度、電力、ネットワークシグナリング、又はネットワーク関連データに関するデータを有し得る。
【００２８】
さらに、セル選択パラメータは、例えばネットワーク装置輻輳若しくは利用可能なリソースを決定するために使用できる、負荷データ、ネットワーク装置輻輳データ、検知された装置若しくは他のＵＥのアクセスデータ、又はネットワーク関連データを含み得る。セル選択パラメータは、ＵＥ固有セルセット１０６又は候補スモールセル１０４のスモールセルネットワーク装置１１４、１１６のアクセス若しくは負荷データを含み得る。負荷データは、各スモールセルネットワーク装置が有する接続の数、又は１又は複数の近隣関係のような、輻輳データを、パラメータと同様に例えばネットワーク状態セットの一部として、含み得る。例えばスモールセルネットワーク装置に利用可能なネットワーク帯域幅、トラフィック監視データ、ネットワークオフローディング、ネットワークプレローディング、又は他の状態も、セル選択パラメータの部分であり得る。一例では、セル選択パラメータは、第１のスモールセル（例えば、スモールセル１２２）のリンク品質若しくはＱｏＳ、ＵＥ固有セルセット１０６の中で所定の閾を満たすリンク品質を有するスモールセルの数の変化（増加又は減少）も含み得る。
【００２９】
一例では、セル選択パラメータは、ダウンリンク測定、アップリンク測定、候補スモールセルのアクセス／負荷データ、又は他のパラメータに基づき得る。ダウンリンク測定は、例えば、セル固有参照信号又はＵＥ固有のビーム形成同期信号に基づき得る。スモールセル１２２のスモールセルネットワーク装置１１６、マクロセルネットワーク装置１０８、又はＵＥ１２０は、対応するソーススモールセル１２２又はＵＥ装置１２０にサービスするマクロセル１０２を通じる接続チャネルからのデータにより、１又は複数のセル選択パラメータを決定できる。セル選択パラメータは、ＵＥ装置１２０、接続された（ソース）スモールセルネットワーク装置１１６、マクロセルネットワーク装置１０８、ＵＥ固有セルセット１０６の装置１１４の目標スモールセルネットワーク、又はネットワークプラットフォーム１００の他のネットワーク装置により決定でき、マクロセル１０２又はマクロセル１０２に関連するスモールセル１２２を通じてＵＥ１２０に利用可能にされる。
【００３０】
一例では、マクロセルネットワーク装置１０８は、ＵＥ１２０によるアクセス又はハンドオーバのための目標スモールセルネットワークを選択するために、候補スモールセル１０４又はＵＥ固有セルセット１０６を更新するよう、１又は複数のセル選択パラメータを決定できる。マクロセルネットワーク装置１０８は、例えば、候補スモールセルネットワーク装置１０４又はＵＥ固有セルセット１０６を識別し又は更新するために、ネットワーク展開データ、ＵＥ移動性状態推定若しくは移動性データ、又は他のセル選択パラメータデータを利用できる。マクロセルネットワーク装置１０８は、このデータに基づくアクセス又はハンドオーバ動作を開始するために、ＵＥ１２０のための支援情報の部分として、ＵＥ１２０にこの情報を提供できる。データを受信することに応答して、ＵＥ１２０は、アクセス又はハンドオーバすべき目標スモールセルネットワーク装置を選択し、候補スモールセル１０４として又はＵＥ固有セルセット１０６の部分と見なすために閾を満たすスモールセルを選択できる。
【００３１】
さらに、スモールセルネットワーク装置１１０〜１１８は、それぞれ、近隣関係セットを決定し、更新されたリスト又は近隣スモールセルセットに従い、測定したセル選択パラメータを保持できる。近隣セルは、極めて短い待ち時間のバックホールリンク、ＵＥ固有セルセット１０６、候補スモールセル１０４、他のスモールセル等に接続された（例えば、同じＰＣＩを有する）スモールクラスタの中のスモールセルを含み得る。スモールセルネットワーク装置は、ＵＥ１２０、マクロセルネットワーク装置１０８と、又は互いに、支援情報としてデータを共有できる。ＵＥ１２０は、次に、より高い閾又は１若しくは複数のパラメータ／測定値のランク付けに基づき、アクセス又はハンドオーバのための目標スモールセルを選択するために、又は候補スモールセル１０４のセット若しくはＵＥ固有セルセット１０６を識別／更新するために、自身の接続されたネットワークに関する情報を利用できる。
【００３２】
ダウンリンク測定データは、装置１１６のソーススモールセル１２２又は他の可能性のある目標スモールセルについて、ＵＥ１２０により決定できる。ダウンリンク測定は、セル固有参照信号に又はＵＥ固有のビーム形成ダウンリンク同期信号（ＳＳ）に基づき得る。アップリンク測定データを生成するために、ＵＥ１２０は、例えばビーム形成アップリンクサウンディング参照信号（ＳＲＳ）を周期的に送信できる。
【００３３】
さらに、セル検出方法及び関連する物理チャネルに基づくＵＥポーリングは、マクロセルにより支援されるＨＦＢスモールセル動作のために使用できる。ここで、マクロセルネットワーク装置１０８は、ＬＴＥのような低周波数帯域（low  frequency  band：ＬＦＢ）ＲＡＴを使用できる。ＵＥポーリング信号に関連する較正は、マクロセルネットワーク装置１０８を介して管理エンティティ又は他のコンポーネントにより管理され、例えばバックホールリンクを介して候補スモールセルの１又は複数のスモールセルネットワーク装置に通信され得る。ＵＥ１２０は、セル選択パラメータを決定するためにポーリング動作を生成し、次に、アクセス又はハンドオーバ動作を実施するために、マクロセルネットワーク装置１０８又はスモールセルネットワーク装置１１０〜１１８のような他のネットワーク装置と情報を共有できる。ＵＥポーリング信号に応答して、ＵＥ固有セルセット１０６のスモールセルネットワーク装置１１４及び１１６は、ＵＥ１２０にポーリング応答メッセージを返すことができる。
【００３４】
ＵＥ１２０は、目標スモールセルネットワーク装置１１６の決定のために測定データ又はセル選択パラメータを生成するために、ＵＥ固有セルセット１０６からのポーリング応答メッセージを利用できる。セル選択パラメータは、例えば、アップリンク測定から得られる又はポーリング応答メッセージを介して配信されるデータを含み得る。ポーリング応答メッセージは、ＵＥ１２０によるハンドオーバのためにアクセスすべき又は目標とすべきＵＥ固有セルセット１０６のスモールセルを決定するために、ＵＥ固有セルセット１０６の最新のシステム情報（ＳＩ）、ＵＥ固有同期信号、アップリンクタイミングアドバンス値、アップリンクリソース割り当て情報、セル無線ネットワーク一時識別子（Ｃ−ＲＮＴＩ）、又は他の同様のパラメータを含み得る。
【００３５】
別の例では、ＵＥ装置１２０は、１又は複数のセル選択パラメータのアップリンク測定を決定するために、ポーリング信号を、第１の周期でＵＥ固有セルセット１０６へ、第２の周期で候補スモールセル１０４のセットへ、周期的に送信できる。一態様では、第１の周期は、第２の周期より短くなり得る。より長い周期により、ＵＥ１２０は、ｅＮＢ側のＴｘ／Ｒｘビームアライメント及びＵＥ固有セルセット１０６の可能性のある更新のために、候補スモールセル１０４の候補スモールセルネットワーク装置セット又は（推定されたｅＮＢダウンリンク送信タイミングに基づく）スモールセルクラスタへ、ＵＥポーリング信号を全方向に送信できる。より短い周期により、ポーリング信号は、例えばｅＮＢ側のＴｘ／Ｒｘビームアライメントのために、既に決定されたＵＥ固有セルセット１０６へ送信できる。ポーリングシグナリングに応答して、ＵＥ固有セルセット１０６の近隣スモールセルネットワーク装置は、例えば、ＵＥ１２０による近隣セル測定、並びにＵＥ  Ｔｘ／Ｒｘビームアライメントのために、ビーム形成ダウンリンクＳＳを送信できる。ＵＥ１２０ポーリング信号は、例えばサービングスモールセルネットワーク装置１１６におけるビーム追跡のために使用されるビーム形成アップリンクサウンディング参照信号と比べて遙かに少ない頻度で送信され得る。追加又は代替で、ＵＥ装置１２０は、イベントトリガに応答して、候補スモールセル１０４のセットへポーリング信号を送信できる。
【００３６】
ポーリング信号の効率的及び効果的な受信のために、マクロセルネットワーク装置１０８は、推定ダウンリンク（ＤＬ）ｅＮｏｄｅＢ送信タイミングと揃えられたアップリンク（ＵＬ）ＵＥ送信タイミングにより、候補スモールセル１０４の候補スモールセルネットワーク装置に更に通信できる。マクロセルネットワーク装置１０８又はサービングスモールセルネットワーク装置は、サービングスモールセルネットワーク装置宛のアップリンクサウンディング参照信号（ＳＲＳ）を有効なＵＬ送信タイミングアドバンス値により、又は目標スモールセルネットワーク装置宛であり得るランダムアクセスプリアンブルを宛先若しくは目標スモールセルネットワーク装置の推定ＤＬ受信タイミングとも揃えられるＵＬ送信タイミングにより、提供することもできる。
【００３７】
ネットワーク装置（例えば、マクロセルネットワーク１０２、スモールセルネットワーク装置、又はＵＥ１０８）がＵＥ固有セルセット１０６を決定し又は構成することに応答して、ネットワーク１０２は、ＵＥコンテキスト情報によるような、起こり得るＵＥハンドオーバ又は初期アクセスのために、対応するスモールセルネットワーク装置１１４、１１６を準備するよう構成される。例えば、マクロセルネットワーク装置１０２は、ＵＥ固有セルセット１０６のネットワーク装置１１４、１１６に利用可能なＵＥコンテキスト情報（例えば、サブスクリプション情報、ユニーク識別情報、移動性情報、又は他のＵＥ関連パラメータ）を生成し及び通信できる。ＵＥ１２０は、選択されたスモールセルのスモールセルネットワーク装置１１６におけるＵＥコンテキスト情報により、又はＵＥのスモールセル測定に従って、ＵＥ固有セルセット１０６の中で選択されたスモールセル１２２に直接アクセスできる。
【００３８】
別の態様では、マクロセルネットワーク装置１０８は、異なるスモールセルネットワーク装置又はクラスタ１１６及び１１４に渡る協調送信及び受信を可能にして、ＵＥ固有セルセット１０６の中のハンドオーバシグナリングオーバヘッドを削減するために、仮想セルＩＤ又はＵＥ固有ネットワークＩＤを、ＵＥ固有セルセット１０６のスモールセルネットワーク装置１１６、１１４に割り当てるよう構成できる。スモールセルクラスタは、例えばユニーク識別情報、物理セル識別子、共通システム情報、又はスモールセルグループに共通の他のパラメータのような１又は複数の共通基準を有する１又は複数のスモールセルを含むことができる。仮想セルＩＤ又はＵＥ固有ネットワークＩＤは、ＵＥコンテキスト情報（例えば、ＵＥサブスクリプション情報、ＵＥ識別情報、又は他のＵＥ関連パラメータ）のようなデータ又はデータセットを通信するために種々のスモールセルに対する識別層、媒体アクセス制御（ＭＡＣ）又はより上位層の状態情報及び構成、並びに物理層構成を有するプロトコルとして動作し、それにより、アクセス又はハンドオーバ動作におけるオーバヘッド通信を削減できる。
【００３９】
別の態様では、候補セル１０４の又はＵＥ固有セルセット１０６のスモールセルのうちの任意のものは、例えばＵＥ移動性パラメータが変化すると、効率的且つ迅速なアクセス又はハンドオーバを実現するために更新され得る。ＵＥ装置１２０が１つのスモールセルカバレッジ（例えば、スモールセルネットワーク装置１１６）から別のスモールセルカバレッジ（例えば、スモールセルネットワーク装置１１４）へ移動することに応答して、ハンドオーバと同様に、候補スモールセル１０４のセットは、マクロセルネットワーク装置１０８又はＵＥ１２０により更新され得る。支援情報は、例えば、上述のように、ネットワーク展開（例えば、アクセス／負荷情報、アップリンク測定、ダウンリンク測定、等）及びＵＥ移動性状態推定（例えば、加速度、位置、方向、速度、又は他のＵＥ関連移動性データ）に関連するような種々のセル選択パラメータを含むことができる。
【００４０】
さらに、ＵＥ固有セルセット１０６又は候補セル１０４は、例えば、アクセス／負荷データ、又はアップリンク（ＵＬ）信号、ＵＥダウンリンク（ＤＬ）信号、ＵＥ位置データ、アクセス／負荷データの測定若しくは他のネットワークパラメータデータのようなセル選択パラメータに従って、マクロセルネットワーク装置１０８又はＵＥ１２０により更新され得る。スモールセルクラスタの中のスモールセルのうちの少なくとも１つがＵＥ固有セルセット１０６に含まれている又は追加されていることに応答して、ＵＥコンテキスト情報（ＵＥ１２０によるスモールセルへのアクセスを可能にする）は、スモールセルネットワーク装置のクラスタのクラスタヘッドに格納され、例えば特定のクラスタの中の全部のスモールセルネットワーク装置に利用可能にされ、又はマクロセルネットワーク装置１０８によりＵＥ固有セルセット１０６の各々のスモールセルネットワーク装置に提供され得る。
【００４１】
別の態様では、新しいＵＥ固有セルセット１０６を形成すること又は候補セル１０４のセットの中で現在のＵＥ固有セルセット１０６を評価することを目的とするＵＥポーリング信号は、イベントトリガに基づき実現され又は送信され得る。イベントトリガは、例えば、劣化（例えば、接続品質又はＱｏＳ因子）、又は例えばマクロセルネットワーク装置１０８の支援によるあるスモールセルネットワークから別のスモールセルネットワークへのアクセス又はハンドオーバ手順のための他のトリガイベントを含み得る。ＵＥポーリングにより、ＵＥ固有セルセット１０６を更新するための更新手順は、例えば、ＵＥサービング又は近隣セル測定が信号又はリンク劣化品質が閾より低い又は閾を満たさないと示すことに応答して、開始され得る。
【００４２】
ＵＥ１２０が、（パラメータ又は基準のうちの１又は複数を有する）測定レポートを送信し及びアクセス又はハンドオーバのためのネットワーク決定を待つ代わりに、サービングセルを直接選択しアクセスできるので、スモールセルアクセス及びハンドオーバ手順の利点は、スモールセル１２２の中のＵＥ１２０の高速なハンドオーバ及び関連付けを含む。これは、ＵＥ１２０が頻繁な無線リンク問題に苦しむとき及び別のスモールセルネットワークへの即時ハンドオーバが必要なとき、ハンドオーバ失敗を低減できる。さらに、サービングセル装置の頻繁な変更に起因する無線リソース制御（Radio  Resource  Control：ＲＲＣ）シグナリング（例えば、測定レポート又はハンドオーバコマンドに関連するシグナリング）オーバヘッドは、低減され得る。イベントトリガに基づくＵＥ固有セルセット１０６の更新は、ＵＥポーリング信号送信のオーバヘッドを増大することなく、高移動性ＵＥを効率的に処理できる。
【００４３】
ＵＥ１２０はＤＬセル測定に基づき自身のサービングセルを選択できるが、マクロセル１０２又はマクロセルに関連する１又は複数のスモールセルは、（ＵＥポーリングに基づくセル検出手順のために）ＵＥ固有セルセット１０６を決定することにより、又はＵＥ１２０が（ブロードキャストに基づくセル検出手順のために）ＵＥ固有セルセット１０６及び目標又はサービングスモールセルを決定できるパラメータセット及び基準を構成することにより、無線リソース管理の制御を維持できる。
【００４４】
スモールセルアクセス（又はハンドオーバ手順）の種々の実施形態では、ＵＥ固有セル１０６の最新ＳＩは、ＵＥ１２０がＵＥ固有セルセット１０６の中のスモールセルを直接選択し及びアクセスするために、ＵＥ１２０に利用可能であり得る。ＵＥ１２０のためにＵＥ固有セルセット１０６のＳＩを配信し及び受信するための種々の態様が考案できる。
【００４５】
一例の態様では、ネットワーク装置（例えば、マクロセルネットワーク装置１０８、又はスモールセルネットワーク装置１１０〜１１８）又はＵＥ１２０がＵＥ固有セルセット１０６を識別する前に、候補スモールセル１０４のセットのＳＩが、初期アクセスのためにマクロセルネットワーク装置１０８から、又はハンドオーバのためにサービングスモールセルネットワーク装置１１６から、専用ＲＲＣメッセージにより（支援情報の部分として）、ＵＥ１２０へ送信され得る。候補スモールセル１０４の中の１又は複数のスモールセル（例えば、スモールセルネットワーク装置１１４〜１１８により提供されるスモールセル）のＳＩが変化する場合、更新ＳＩを有する専用ＲＲＣメッセージは、マクロセルネットワーク装置１０８から又はサービングスモールセルネットワーク装置１１６から、ＵＥ１２０へ再び送信され得る。
【００４６】
代替又は追加で、ＵＥポーリングに基づく検出処理により、ＵＥ固有セルセット１０６のＳＩは、スモールセルネットワーク装置１１６及び１１４自身によりポーリング応答メッセージの部分として送信され得る。支援情報の部分として既に送信されているＳＩが更新された場合、更新ＳＩは、ＵＥ１２０へのポーリング応答に含まれ得る。
【００４７】
代替又は追加で、マクロセルネットワーク装置１０８は、自身のカバレッジ下の全部のスモールセルのＳＩをブロードキャストできる。ＵＥ１２０は、候補スモールセル１０４のセット又はスモールセルクラスタ１１４〜１１８、候補の部分、又は全てのスモールセルネットワーク装置１１０〜１１８のブロードキャストＳＩメッセージをバッファリングできる。ＵＥバッファコンポーネント（例えば、図２のバッファコンポーネント）は、次に、（スモールセル選択パラメータが、ブロードキャストＳＩメッセージではなく、支援情報メッセージに含まれる場合）ＵＥ１２０によるスモールセル選択の後に、選択されたスモールセル又はスモールセルクラスタのバッファリングされたブロードキャストＳＩメッセージを復号化できる。代替で、ＵＥ１２０は、セル選択パラメータを得るために、ＵＥ固有セルセット１０６のバッファリングされたＳＩメッセージを復号化し、これらの復号化セル選択パラメータに基づき適切なサービング若しくは目標スモールセルネットワークを選択できる。ＳＩが更新されると、例えばマクロセルネットワーク装置からのページングメッセージは、ＵＥ１２０に、ＳＩ変化を又は更新ＳＩを知らせるために使用できる。
【００４８】
本開示に記載の方法は一連の動作又はイベントとして本願明細書に図示され記載されるが、このような動作又はイベントの図示の順序は、限定的意味として解釈されるべきではないことが理解されるだろう。例えば、幾つかの動作は、本願明細書に図示され及び／又は記載されたものと別個に、異なる順序及び／又は他の動作若しくはイベントと同時に生じても良い。さらに、本願明細書の記載の１又は複数の態様又は実施形態を実施するために、必ずしも全部の図示の動作が必要ではない。さらに、本願明細書に記載の態様のうちの１又は複数は、１又は複数の別個の動作及び／又は段階で実行されても良い。
【００４９】
図２を参照すると、図１のマクロセル１０２の中のスモールセルに直接アクセスするためのＵＥ１２０の例示的な処理フロー２００が示される。開示の実施形態は、マクロセルにより提供される支援情報に基づき、ＵＥ１２０がアクセス処理を指示することを可能にする。ＬＴＥマクロセルネットワーク及びＨＦＢ  ＲＡＴに基づくスモールセルネットワークの場合には、スモールセルネットワークハンドオーバ又は関連付け決定及び通知のためにＬＴＥインタフェースを使用することは、ＨＦＢ  ＲＡＴ動作において、より長い遅延を生じ得る。ＨＦＢ  ＲＡＴシステム及びＬＴＥシステムが異なる時間スケール（例えば、ＨＦＢ  ＲＡＴシステムでは約１００マイクロ秒サブフレーム期間、及びＬＴＥシステムでは１ミリ秒サブフレーム期間）を有することを考慮すると、ＬＴＥによるスモールセル追加及び削除は、数ミリ秒以内にＨＦＢ  ＲＡＴスモールセルに接続することを困難にし得る。
【００５０】
方法２００では、（図１に示すような）ＵＥ固有セルセット１０６の特定のスモールセルのシステム情報（ＳＩ）は、ＵＥ１２０に利用可能にできる。ＳＩは、ＵＥ１２０が特定のスモールセルにアクセスするために使用できる該特定のスモールセルに関連する特定のデータを表す。ＳＩは、スモールセルの間で同じであり、又は各々のクラスタの間で異なり得る。ＳＩは、例えば、共通無線リソース構成（例えば、半固定物理層パラメータ、又はＴＳ３６．３３１に記載のような他の構成若しくはパラメータ）を含み得る。初期アクセスの間、例えば、ＵＥ１２０は、マスタ情報ブロック（Master  Information  Block：ＭＩＢ）及び／又は１又は複数のシステム情報ブロック（System  Information  Block：ＳＩＢ）を復号化することにより、特定のスモールセルのＳＩを取得できる。ハンドオーバ動作の間、目標スモールセルのＳＩは、例えば、マクロセル１０２を介して、ＵＥ１２０へハンドオーバコマンド又はメッセージの一部として配信できる。同様に、セカンダリサービングセル（secondary  serving  cell：ＳＣｅｌｌ）のＳＩは、例えば、キャリアアグリゲーション（ＣＡ）又はRel−１２  LTE−A  dual−connectivityの中の専用ＲＲＣメッセージを介して、配信できる。
【００５１】
方法２００により、ＵＥ１２０は、ＵＥポーリング処理に従い初期アクセスするために、特定のスモールセルを直接開始し又は決定するよう動作する。したがって、初期アクセスは、ＵＥ１２０により直接生じ又は実現できる。初期アクセスは、スモールセル及び関連するマクロセルを有する異種ネットワークの中のマクロネットワーク装置１０８からの支援情報に基づき、ＵＥ１２０により指示される。マクロセルネットワーク装置１０８は、例えば他のネットワーク装置より低い周波数帯域（＜６ＧＨｚ）でプライマリサービングセル（primary  serving  cell：ＰＣｅｌｌ）を提供できる。マクロセルネットワーク装置１０８は、ｍｍＷスモールセルネットワーク装置１１４、１１６の候補スモールセル、又は自身のカバレッジの中の他の装置（例えば、図１のスモールセルネットワーク装置１１０〜１１８）に関連する支援情報を生成できる。上述のように、支援情報は、マクロセルのカバレッジゾーン１０２の中の特定のｍｍＷネットワークに関連する専用支援情報であり得る。ＵＥ１２０は、アクセスすべき目標スモールセルの選択のためにマクロセル１０２の中のスモールセルのデータを検出し及び測定するために、支援情報を使用できる。
【００５２】
方法２００は、アクセスのために目標スモールセルを検出し、測定し、及び選択するための、ＵＥポーリングに基づくＵＥ１２０のセル検出の一例を示す。ＵＥポーリングに基づくセル検出は、ポーリング信号及び測定、並びにセル負荷及びアクセス情報に従い、ＵＥ固有セルセット１０６の識別を可能にする。ＵＥポーリング動作は、さらに、ＵＥ１２０による起こり得るアクセスのために、異種ネットワークがスモールセルネットワーク装置（例えば、スモールセルネットワーク装置１１４及び１１６）を準備することを可能にする。
【００５３】
ＵＥ１２０は、ＵＥ固有ポーリング応答をＵＥ１２０に送信する対応するスモールセルネットワーク装置１１４、１１６を通じて、ＵＥ固有セルセット１０６を有する特定のスモールセルネットワーク装置１１４、１１６の知識を識別し又は受信できる。初期アクセスの間、ＵＥ１２０は、ＵＥ固有ＤＬ同期信号（ＳＳ）に対してスモールセル測定を実行できる。ＳＳは、ポーリング応答の部分として、スモールセルネットワーク装置１１４、１１６から送信される。小さい待ち時間のセル関連付けのために、次に、スモールセルネットワーク選択が、ＵＥ１２０により実行される。
【００５４】
概して、２０２から２１０で、マクロセルネットワーク装置１０８は、ＵＥ１２０に提供するために支援情報を準備する。一方で、ＵＥ１２０は、異なるスモールセルネットワーク装置１１４、１１６、スモールセルネットワーク装置のクラスタ、又はＵＥ固有セルセット１０６若しくは候補スモールセル１０４の中の他のスモールセルネットワーク装置による測定データに基づきアクセスを指示する。２０２及び２０４で、マクロセルネットワーク装置１０８は、対応するバックホールリンクを介して特定のスモールセルネットワーク装置１１４及び１１６から、ＳＩデータを受信できる。ＳＩは、ＵＥ１２０がスモールセルにアクセスすることを可能にし、識別データ、通信データ又は他のデータのような、アクセスするための各々の特定のスモールセルに関連する固有データを有する。
【００５５】
２０２及び２０４で、マクロセルネットワーク装置１０８は、自身のネットワークカバレッジゾーン１０２の下で、スモールセルネットワーク装置１１６、１１４に、ＳＩの要求を受信し又は通信する。２０２、２０４において、マクロセルネットワーク装置１０８によりＳＩが受信されると、対応するスモールセルのＳＩは、マクロセルのＳＩと一緒に共同で符号化され、又は１又は複数のシステム情報ブロック（ＳＩＢ）で別個に送信され得る。候補スモールセル１０４に関連するＳＩは、次に、専用ＲＲＣシグナリングにより、候補スモールセルに関する支援情報の部分として、又は支援情報とは別個に、送信され得る。ＨＦＢスモールセルネットワーク装置１１４及び１１６は、例えば、２０２及び２０４で、半固定物理層パラメータ又は他のシステム情報（例えばＴＳ３６．３３１を参照）のような共通無線リソース構成を、マクロセルネットワーク装置１０８に通信できる。
【００５６】
２０６で、マクロセルネットワーク装置１０８は、ＬＴＥアクセスを介してスモールセル装置１１４及び１１６又は自身のネットワークカバレッジ下にある他のスモールセルネットワーク装置に関連するＳＩをブロードキャストすることによるように、ＳＩをＵＥ１２０に通信する。マクロセルネットワーク装置１０８は、マクロセルカバレッジゾーン１０２の中のスモールセル装置、選択された候補スモールセル１０４のみ、又はＵＥ固有セルセット１０６に関連するＳＩをブロードキャストするよう動作できる。例えば、マクロセルネットワーク装置１０８は、スモールセルネットワーク装置１１０〜１１８により提供されるどのスモールセルが、候補スモールセル１０４又はＵＥ固有セルセット１０６であるかを、移動性データ、ＵＥの位置、及び／又はスモールセルのアクセス／負荷データに基づき、選択できる。このデータ（移動性データ、位置データ、又はアクセス／負荷データ）の所定の閾に基づき、マクロセルネットワーク装置１０８は、これらのスモールセル（例えば、ＵＥ固有セルセット１０６のスモールセルネットワーク装置１１４及び１１６により提供されるスモールセル）に関連するＳＩを通信できる。
【００５７】
一態様では、ポーリング識別情報（ＩＤ）コンポーネント２０８により、マクロセルネットワーク装置１０８は、ポーリングリソースも管理できる。したがって、ＵＥ１２０は、ポーリング信号応答に基づきスモールセルの測定を動的に更新し又は生成できる。ポーリングリソースは、例えば、時間ドメイン無線リソース、周波数ドメイン無線リソース、プリアンブルシーケンス、又はＵＥ１２０によるポーリング動作により利用できる別のリソースを含み得る。
【００５８】
さらに、ＩＤコンポーネント２０８は、候補スモールセル１０４又はＵＥ固有セルセット１０６を提供する特定のスモールセルネットワーク装置を識別できる。図１の候補スモールセル１０４のサイズ又は数、候補スモールセル１０４に関連するデータ、スモールセルネットワーク装置クラスタ１１０〜１１８の識別情報、又はどのクラスタ若しくは装置がＵＥ１２０に対するアクセスの候補であるかは、例えば、ＵＥ位置、ＵＥ１２０の近傍にある特定のスモールセルネットワーク装置のアクセス／負荷データ、ＵＥ移動性データに基づき、ポーリングリソースの部分として決定できる。例えば、より大きな候補セットは、ＵＥ移動性が高い場合に決定され得る。逆も同様である。このようなＵＥ移動性データは、加速度データ、位置情報、方向、速度、又はＵＥ１２０に関連する他の移動性パラメータを含み得る。マクロセルネットワーク装置１０８は、どのスモールセルネットワーク装置がＵＥ１２０のアクセス又はハンドオーバの候補として資格があるかをＵＥ移動性の所定の閾に基づき決定するために、この移動性データを利用できる。
【００５９】
さらに、ＩＤコンポーネント２０８は、ＵＥ１２０に関連する各々のスモールセルのＱｏＳ、並びに各々のアクセス／負荷データを監視し得る。ＩＤコンポーネント２０８は、候補スモールセル１０４の候補リスト、又はしたがってＵＥ固有セルセット１０６を更新するよう動作し得る。例えば、アクセス／負荷データの変化は、スモールセルネットワーク装置のＵＥ１２０に対する位置が閾レベル又はＱｏＳレベルを満たし得る場合でも、スモールセルネットワーク装置１１４により提供されるスモールセルをＵＥ固有セルセット１０６又は高干せる１０４から除外させ得る。
【００６０】
２１０で、マクロセルネットワーク装置１０８は、選択されたポーリングリソース（例えば、時間／周波数無線リソース、プリアンブルシーケンス、等）を、候補スモールセルネットワーク装置又はＵＥ固有セルセット１０６のスモールセルネットワーク装置に通信する。この通信は、ＵＥ１２０による測定及びアクセス若しくはハンドオーバのためのＵＥによる選択のために準備するために、どの特定のスモールセルネットワーク装置（例えば、スモールセルネットワーク装置１１４）が候補装置として又はＵＥ固有セルセット装置として指定されるかを示すことができる。これに基づき、対応するスモールセルがポーリングリソースにより構成される。さらに、選択されたポーリングリソースは、特定のスモールセルネットワーク装置が、例えばポーリング信号を受信することに応答して、ＵＥ１２０に応答することを可能にできる。ポーリングリソースは、スケジュールに基づくポーリング信号送信のためのもの又は競合の無いランダムアクセス型送信（例えば、統計的時分割多重方式と一緒の直交符号分割多重方式、等）のためのものであり得る。代替で、候補スモールセル１０４又はＵＥ固有セルセット１０６は、競合に基づくポーリング信号送信のために使用される時間／周波数無線リソースセット及びプリアンブルシーケンスに関連する知識のみによって、ＵＥポーリング信号のブラインド検出を実行できる。
【００６１】
２１２で、支援情報は、マクロセルネットワーク装置１０８によりＵＥ１２０に通信される。セカンダリサービングセル（ＳＣｅｌｌ）、候補スモールセルネットワーク装置１０４、又はＵＥ固有セルセット１０６のＳＩは、例えば、候補スモールセル１０４又はＵＥ固有セルセット１０６に関連する支援情報の部分として、専用ＲＲＣシグナリングにより送信できる。支援情報は、ＰＣＩ、搬送波周波数、フレームタイミング情報、又は巡回プレフィックス（ＣＰ）長を含むことができ、例えば、マクロセルネットワーク装置１０８により又はサービングスモールセルネットワーク装置１１６から送信され得る。支援情報は、マクロセルネットワーク装置１０８により又はサービングスモールセルネットワーク装置１１６により決定され、専用ＲＲＣメッセージによりＵＥ１２０に通信できる。ＵＥ１２０は、支援情報を受信し、ＵＥ固有セルセットの中のスモールセルの更なる測定のために利用し、さらに、初期アクセス又はハンドオーバ動作のために目標スモールセルを選択できる。２１２で、例えば、マクロセルネットワーク装置１０８は、専用ＲＲＣメッセージにより、候補スモールセル１０４に関連する支援情報を送信できる。支援情報は、ＵＥ１２０が測定、セル選択、及び選択されたセルネットワーク装置のＳＩの復号化のような更なる動作を実行するための、ポーリングリソース及びポーリングリソース構成を更に含み得る。
【００６２】
２１４で、ＵＥ１２０のバッファリングコンポーネントは、候補スモールセル１０４、ＵＥ固有セルセット１０６、又は１又は複数のスモールセルネットワーク装置１１４、１１６のクラスタヘッド装置のＳＩをバッファリングするよう構成され得る。このＳＩは、例えば、ＵＥ１２０が、目標スモールセル装置１１４又は特定のクラスタのスモールセルネットワーク装置にアクセスすることを可能にする。さらに、バッファリングコンポーネント２１４は、アクセス又はハンドオーバが変化するパラメータ又はネットワーク状態（例えば、より低いＱｏＳ、ＤＬ又はＵＬの測定、ＵＥ移動性因子、ＵＥ位置、又は他のネットワークパラメータ）に基づきＵＥ１２０によりトリガされるのに続いて復号化されるように、支援情報をバッファリングできる。
【００６３】
２１６で、ＵＥ１２０は、スモールセルネットワーク装置１１４、１１６に示されたポーリングリソースを用いてポーリング信号を送信し、したがって、決定されたＵＥ固有セルセット１０４（例えば、スモールセルネットワーク装置１１４及び１１６）からポーリングリソースをトリガできる。スモールセルネットワーク装置１１４及び１１６は、ＵＥ１２０からのポーリング信号を検出するよう構成されるポーリング応答コンポーネント２１８を有する。スモールセルネットワーク装置１１４、１１６のポーリング応答コンポーネント２１８は、さらに、ＵＥ１２０からのポーリング信号に応答して又はそれに基づき、ＵＥ１２０にポーリング応答を通信するために、ビームアライメント及び管理制御を実行する。２２０で、各々のスモールセルネットワーク装置１１４又は１１６からのポーリング応答は、ＨＦＢ  ＲＡＴ接続で通信され、例えばＵＥ固有にビーム形成されたＤＬ  ＳＳ、セル無線ネットワーク一時識別子（Ｃ−ＲＮＴＩ）、ＵＬタイミングアドバンス値、ＵＬリソース許可、又はポーリング応答メッセージの部分としての他のリソースを含み得る。
【００６４】
２２２で、ポーリング応答メッセージを受信することに応答して、ＵＥ１２０は、受信したＳＳに基づきセル測定を実行し、ＵＥ固有セルセット１０６のＳＩメッセージを復号化し、及びＵＥ１２０によるセル測定及びＳＩメッセージの中で示されたセル選択パラメータに基づき適切なサービングセル（例えば、スモールセルネットワーク装置１１６）を選択する。代替で、セル選択パラメータは、支援情報の部分としてＵＥ１２０へ送信され、ＵＥ１２０のバッファコンポーネント２１４は、目標スモールセルの選択の後に、選択されたスモールセルネットワーク装置１１６又はスモールセルネットワーク装置クラスタ１１６のブロードキャストＳＩメッセージを復号化して、ＵＥ１２０が選択された目標スモールセルへの接続を指示できるようにする。
【００６５】
ＵＥ１２０が既に接続されているサービングスモールセル１２２の測定では、ＵＥ１２０は、ｅＮＢ側のＴｘ／Ｒｘビーム追跡のために、ビーム形成ＳＲＳをサービングスモールセルネットワーク装置１１６に（ＵＬタイミング同期の下で）周期的に送信できる。ＤＬでは、ＵＥ１２０は、サービングスモールセルネットワーク装置１１６から周期的に送信されるビーム形成ＤＬ  ＳＳについて測定を実行できる。
【００６６】
別の態様では、ＵＥ１２０の近隣セル測定は、周期的に及びイベント駆動に基づき実行され得る。周期的近隣セル測定では、２つの周期（長い及び短い）が、ＵＥ１２０によるポーリング信号送信のために構成され得る。長い周期で、ＵＥ１２０は、ｅＮＢ側のＴｘ／Ｒｘビームアライメント及びＵＥ固有セルセット１０６の起こり得る更新のために、候補スモールセル１０４の候補スモールセルネットワーク装置セット又は（推定されたｅＮＢダウンリンク送信タイミング、又は他の送信タイミング関連パラメータに従い）候補スモールセルのセット又はスモールセルクラスタへ、ＵＥポーリング信号を周期的に且つ全方向に送信できる。短い周期で、ポーリング信号は、主にｅＮＢ側のＴｘ／Ｒｘビームアライメントのために、既に決定されたＵＥ固有セルセット１０６へ送信できる。周期的ポーリング信号に応答して、ＵＥ固有セルセット１０６の中の近隣スモールセルネットワーク装置（例えば、スモールセルネットワーク装置１１４又は他のネットワーク装置）は、ＵＥ１２０による近隣セル測定のために（及びＵＥ  Ｔｘ／Ｒｘビームアライメントのために）、ビーム形成されたＤＬ  ＳＳを周期的に送信できる。ＵＥ１２０ポーリング信号は、例えばサービングスモールセルネットワーク装置１１６におけるビーム追跡のために使用されるビーム形成ＵＬ  ＳＲＳと比べて遙かに少ない頻度で送信されることが期待される。
【００６７】
さらに、ＵＥ固有セルセット１０６は、イベント駆動型近隣スモールセル測定に基づいても更新され得る。例えば、ＵＥ１２０は、サービングスモールセル１２２の品質／ＱｏＳ／ＱｏＥの劣化を観察し又は検出できる。或いは、ＵＥ１２０は、良好なリンク品質を有する近隣スモールセル（例えば、ＵＥ固有セルセット１０６又は候補スモールセル１０４の中の他のスモールセル又は対応するスモールセル）の数の減少を検出できる。リンク品質は、例えば、閾レベルの満足に基づき検出され又は観察できる。例えば、品質は、第１の閾より低いサービングセルの参照信号受信電力（Reference  Signal  Received  Power：ＲＳＲＰ）、又はＲＳＲＰが第２の閾より低い若しくは第３の閾より大きい近隣セルの数により、決定できる。リンク品質又は他の品質因子に応答して、ＵＥ１２０は、ＵＥ固有セルセット１０６を更新し、ＵＥ固有セルセット１０６に追加された更新した近隣スモールセルのパラメータを測定でき、一方で、他のスモールセルを維持し又は削除する。別個のポーリングリソース（時間／周波数無線リソース）は、イベント駆動型ポーリング信号送信のために構成され得る。一方で、１又は複数の候補スモールセルネットワーク装置は、ＵＥ固有セルセット１０６の一部であり得るネットワーク装置クラスタの指定ヘッド又は管理スモールセルネットワーク装置１１４のように、イベント駆動型ポーリング信号送信を監視する。当業者は、例えば、候補セル１０４の中の他のスモールセルネットワーク装置、マクロセルネットワーク装置１０８、又はマクロセル１０２の中の他のスモールセルネットワーク装置が同様に動作し得ることを理解できる。
【００６８】
２２４で、ＵＥ１２０は、目標スモールセルネットワーク装置１１６又は選択されたスモールセルネットワーク装置１１６へ、スケジューリング要求、ＵＥ能力メッセージ、及び他のＵＥ能力若しくはリソース情報を含み得る接続完了メッセージを送信できる。初期アクセスのために選択されるスモールセルネットワーク装置１１６は、次に、マクロセルネットワーク装置１０８に接続を通知できる。
【００６９】
図３を参照すると、マクロセルと一緒に展開され作動されるスモールセルの中のＵＥ１２０によるハンドオーバを実現するための例示的な処理フロー３００が示される。ＬＴＥ−Ａｄｖａｎｃｅｄ  Ｒｅｌ−１２二重接続の動作モードで、ＵＥ１２０を第１の（ソース）スモールセル１１６から第２の（目標）スモールセル１１４へハンドオーバするために、例えば、マクロセルネットワーク装置１０８は、ソーススモールセルネットワーク装置１１６を解放し、目標スモールセルネットワーク装置１１４を追加できる必要がある。これは、マクロセルネットワーク装置１０８とＵＥ１２０との間のＲＲＣメッセージ交換により可能にできる。開示の実施形態は、マクロセル１０２又はその中のスモールセルにより提供される支援データに基づき、ＵＥ１２０がアクセス処理を実現し及び指示することを可能にする。ＬＴＥマクロセルネットワーク及びＨＦＢ  ＲＡＴに基づくスモールセルネットワークの場合には、スモールセルネットワークハンドオーバ又は関連付け決定及び通知のためにＬＴＥインタフェースを使用することは、例えば、ＨＦＢ  ＲＡＴ動作において、より長い遅延を生じ得る。ＨＦＢ  ＲＡＴシステム及びＬＴＥシステムが異なる時間スケール（例えば、ＨＦＢ  ＲＡＴシステムでは約１００マイクロ秒サブフレーム期間、及びＬＴＥシステムでは１ミリ秒サブフレーム期間）を有することを考慮すると、既存の手順は、数ミリ秒以内にＨＦＢ  ＲＡＴスモールセルに接続することを困難にし得る。
【００７０】
方法３００では、マクロセルネットワーク装置１０８（例えば、ＬＴＥ  ｅＮＢ）又は１又は複数のスモールセルクラスタヘッド１１４、１１６、１１８は、上述の図２のＩＤコンポーネント２０８と類似するポーリングＩＤコンポーネント３０２により、ＵＥポーリングリソース（例えば、時間、周波数、及びプリアンブルシーケンス）を管理できる。３０４で、クラスタヘッド又はマクロネットワーク装置１０８のＩＤコンポーネント３０２は、各々のクラスタの中のＵＥの候補セル１１４〜１１８に、ＵＥ１２０のために選択されたポーリングリソースを知らせる。代替で、候補スモールセルネットワーク装置１０４は、競合に基づくポーリング信号送信をブラインド検出し得る。
【００７１】
３０６で、専用ＲＲＣメッセージは、サービングスモールセルネットワーク装置１１６から送信され得る。ＲＲＣメッセージは、支援情報、及びスモールセルネットワーク装置１１４〜１１８のうちの任意のものに関するＳＩを含み得る。支援情報は、特定の候補スモールセル１０４又はＵＥ固有セルセット１０６の一部であると決定されるセルの識別情報に関連し得る。ここで、特定の候補スモールセル１０４又はＵＥ固有セルセット１０６から、ハンドオーバのために目標セルがＵＥにより選択される。支援情報は、ＰＣＩ、搬送波周波数、フレームタイミング情報、巡回プレフィックス（ＣＰ）長、又は他のリソースを含むことができ、例えば、サービングスモールセルネットワーク装置１１６から又は代替でマクロセルネットワーク装置１０８により送信され得る。
【００７２】
ＵＥ１２０は、ＵＥ固有セルセット１０６又は候補装置１０４の中のスモールセルネットワーク装置１１４〜１１６の更なる測定を生成するために、支援情報を受信し及び利用できる。ＵＥ１２０は、次に、自身の測定データに基づきアクセス又はハンドオーバのために目標スモールセル装置１１４を選択することができる。専用ＲＲＣメッセージは、さらに、ＵＥ１２０が測定、セル選択、及び選択された目標スモールセルネットワーク装置１１４、又はＵＥ固有セルセットがスモールセルネットワーク装置１１８を含むよう更新されている場合にはスモールセルネットワーク装置１１８のＳＩの復号化も実行するために、ポーリングリソース及びポーリング応答構成を含むことができる。
【００７３】
ＵＥ１２０の更新コンポーネント３０８は、例えば、候補スモールセル１０４又はＵＥ固有セルセット１０６に含まれる又はそれとして指定されたスモールセルを、ＵＥ１２０により生成される後続の測定に基づき又は受信されたＲＲＣメッセージの中のデータにより更新するよう構成される。候補セル１０４又はＵＥ固有セルセット１０６の更新は、１又は複数のイベントトリガにより開始され得る。イベントトリガは、例えば、劣化（例えば、接続品質又はＱｏＳ因子）、又はマクロセルネットワーク装置１０８の支援によるあるスモールセルから別のスモールセルへのアクセス又はハンドオーバ手順のための他のトリガイベントを含み得る。スモールセル検出のためのＵＥポーリングにより、ＵＥ固有セルセット１０６を更新するための更新手順は、ＵＥサービング又は近隣セル測定が信号又はリンク劣化が閾より低い又は閾を満たさない品質を有すると示すことに応答して、開始され得る。異なる閾又は異なる閾レベルは、候補セル１０４及びＵＥ固有セルセット１０６に対応し得る。ここで、ＵＥ固有セルセット１０６は、候補スモールセル装置１０４より高い品質閾レベルを有し得る。
【００７４】
３１０で、更新コンポーネント３０８がイベントトリガを識別し又は受信することに応答して、ＵＥ１２０は、全方向性ビーム又はその他の方法により、１又は複数のＵＥポーリング信号を更に送信する。ＵＥ１２０は、次に、新しいＵＥ固有セルセット１０６を更新し、又は候補セル１０４のセット若しくはＵＥ固有セルセット１０６の中で現在のＵＥ固有セルセット１０６を更に評価し得る。
【００７５】
３１２で、スモールセルネットワーク装置１１４及び１１８は、ＵＥ固有セルセット１０６又は候補スモールセル１０４の潜在的スモールセルネットワーク装置として、ＵＥ１２０からのポーリング信号を検出するために、ポーリング応答コンポーネント２１８を利用し、さらに、ＵＥ１２０にポーリング応答を通信するためにビームアライメント及び許可制御を指示できる。
【００７６】
３１４で、ＵＥ固有セルセット１０６は、ポーリング応答の部分としてビーム形成ＤＬ  ＳＳをＵＥ１２０へ送信できる。ＵＥ１２０は、ＵＥコンテキストデータを受信し及びＵＥ１２０のためにリソースを予約するために、目標スモールセル装置１１４又は１１８に対するようなＨＯ準備を開始できる。ＤＬビーム形成ＳＳと一緒に、ＵＬタイミングアドバンス値及びＵＬリソース割り当てが、応答の中で送信され得る。専用ＲＲＣメッセージと一緒に支援情報の部分として送信されない場合、ＵＥ固有セルセットのＳＩも、ビーム形成ＤＬ  ＳＳと共に送信され得る。
【００７７】
ＵＥ１２０の測定／選択コンポーネント３１６は、受信したＳＳに基づきセル測定を実行し、ＵＥ固有セルセット１０６又はスモールセルネットワーク装置１１４若しくは１１８のＳＩメッセージを復号化し、及び測定及びＳＩメッセージの中で示されたセル選択パラメータに基づき適切なサービングセル（例えば、スモールセルネットワーク装置１１４）を選択するよう構成される。ＵＥ測定及びセル選択パラメータに基づき、測定／選択コンポーネント３１６は、ＵＥ固有セルセット１０６の中のＨＯ目標スモールセルネットワーク装置１１４を決定し、３１８で（例えばＨＦＢ  ＲＡＴ接続を介して）ＨＯ要求を通信する。３１８で、ＵＥ１２０は、示されたタイミングアドバンス（ＴＡ）値及びＵＬリソースを用いて、目標スモールセルネットワーク装置１１４へＨＯ要求メッセージを直接送信する。この通信は、ソーススモールセル１２２に関連する情報を含み得る。ＨＯ要求メッセージと一緒に、ＵＥ１２０は、ビーム形成トレーニング通信交換を更に要求できる。ＵＥ１２０は、限られた数の受信機ＲＦチェーンしか有しないので、同じ送信ビーム形成重みを有する複数のシンボルが、ＵＥの受信ビーム形成重みを訓練するために利用できる。
【００７８】
目標スモールセルネットワーク装置１１４のＵＥコンテキスト有効コンポーネント３２０は、ＵＥコンテキスト検証を更に実行できる。目標スモールセルネットワーク装置１１４は、次に、解放要求３２２をソーススモールセルネットワーク装置へ送信する。ソーススモールセルネットワーク装置は、対応するＵＥコンテキスト検証コンポーネントでメッセージを検証し３２４、解放及びＵＥ１２０に関連するバックホールリンクでデータ（例えば、進行中のユーザデータ、ＭＡＣ層状態データ、所望のリソースデータ、又はＵＥ１２０にサービスするためのデータ）を転送できる３２６。転送されるデータ３２６は、３２８で、バッファコンポーネント３２８によりバッファリングされ、次に、解放要求肯定応答が受信されることに応答して３３０、処理され得る。ソーススモールセルネットワーク装置１１６から転送されたデータを受信した後に、目標スモールセルネットワーク装置１１４は、メッセージをマクロセルネットワーク装置１０８へ送信して３３２、マクロセルネットワーク装置１０８にハンドオーバ及び更新されたサービングスモールセルネットワーク装置１１４を知らせ、一緒に、「ハンドオーバ完了」メッセージがＵＥ１２０へ送信される３３４。
【００７９】
ＵＥ１２０とって禁じられたスモールセル又はＵＥ１２０にサービスするために十分な（例えば、閾より高い）無線リソースを有しないスモールセルは、受信したＵＥポーリング信号３１０に応答しない、つまり、ＵＥ固有ビーム形成ＳＳを送信しない。ＵＥ１２０はハンドオーバの決定を行うが、決定基準及びセル関連付けの関連パラメータは、ネットワーク、例えばマクロセルネットワーク装置１０８、又は候補スモールセル１０４若しくはＵＥ固有セルセット１０４の中のクラスタのヘッドスモールセルネットワーク装置により設定できる。したがってネットワーク負荷平衡及びオフローディングは、依然として達成できる。
【００８０】
図４を参照すると、種々の態様に従うマクロセルにより支援されるスモールセルネットワークの中のモバイル通信を説明する別の例示的な処理フロー４００が示される。処理フロー４００は、ＵＥ１２０がアクセス又はハンドオーバを実現するための、ブロードキャストに基づくセル検出の一例を示す。
【００８１】
４０２、４０４、及び４０６で、マクロネットワーク装置１０８は、スモールセルネットワーク装置１１４、１１６、１１８のスモールセルに関連する、及びマクロセル１０２の中のスモールセルネットワーク装置１１０〜１１８の各々スモールセルについても、ＳＩを決定できる。スモールセルのＳＩは、マクロセル１０２のＳＩと共同で、又は１又は複数の新しいシステム情報ブロック（ＳＩＢ）の中で別個に、符号化できる。ＨＦＢスモールセルネットワーク装置１１４、１１６、１１８は、例えば、４０２、４０４、及び４０６で、半固定物理層パラメータ又は他のシステム情報（例えばＴＳ３６．３３１を参照）のような共通（セル固有）無線リソース構成を、マクロセルネットワーク装置１０８に通信できる。上述のように、１つのＰＣＩ及び共通ＳＩは、同じスモールセルクラスタの中のスモールセルのために使用され得る。ＵＥ１２０は、例えばＭＩＢ及びＳＩＢのうちの少なくとも１つを復号化することにより、スモールセルのシステム情報を取得できる。
【００８２】
２０８で、候補スモールセルに関連するＳＩは、次に、専用ＲＲＣシグナリングにより、候補スモールセルに関する支援情報と一緒に、送信され得る。代替及び追加で、マクロセル１０２の中のスモールセルネットワーク装置１１０〜１１８のスモールセルに関連するＳＩは、マクロセル１０２により、支援情報と別個にブロードキャストされる。
【００８３】
一態様では、ＵＥ１２０があるスモールセルカバレッジから別のスモールセルカバレッジへ移動すると、候補スモールセル１０４は、マクロセルネットワーク装置１０８からの支援情報により（例えば、ネットワーク展開状態、ＵＥ移動性状態推定、位置データ、アクセス／負荷データ、又は他のパラメータにより）、更新コンポーネント４１０において更新され得る。マクロセルネットワーク装置１０８は、（図１に示すような）スモールセルネットワーク装置１１０〜１１８と通信し、ＵＥのアップリンク信号を測定することにより、又は図４に示すようにＵＥがダウンリンク参照信号（例えば、セル固有参照信号）を測定することにより、これらの装置、又はＵＥ固有セルセット１０６の更新を決定し／更新できる。
【００８４】
マクロセルネットワーク装置１０８は、次に、ネットワーク展開状態及びＵＥ移動性状態推定データ、又はＵＥ１２０によるアクセス若しくはハンドオーバ動作の基礎を形成するための他のパラメータに基づき、支援データを効率的且つ効果的に通信できる。マクロセルネットワーク装置１０８は、サービングスモールセルネットワーク装置宛のアップリンクサウンディング参照信号（ＳＲＳ）を有効なＵＬ送信タイミングアドバンス値により、又は目標スモールセルネットワーク装置宛であり得るランダムアクセスプリアンブルを宛先スモールセルネットワーク装置の推定ＤＬ受信タイミングとも揃えられるＵＬ送信タイミングにより、提供することもできる。
【００８５】
４０８で支援情報及びＳＩと一緒に送信されるセル選択パラメータは、ＵＥ固有セルセット１０６のスモールセル又は候補スモールセル１０４のアクセス又は負荷データも含み得る。負荷データは、各スモールセルが有する接続の数、又は１又は複数の近隣関係のような、輻輳データを、例えばネットワーク状態パラメータセットの一部として、含み得る。上述のように、スモールセルに利用可能なネットワーク帯域幅、トラフィック監視データ、ネットワークオフローディング、ネットワークプレローディング、又は他の状態も、セル選択パラメータの部分であり得る。
【００８６】
図４の処理フロー４００のブロードキャストに基づくセル検出では、セル固有ＤＬ同期信号は、周期的に送信でき、ＵＥ固有セルセット１０６は、ＵＥのＤＬ測定及びスモールセル関連付け基準（セル選択パラメータ）により、ＵＥ１２０の測定／識別／更新コンポーネント４１０により決定できる。４１２で、ＵＥ１２０は、次に、マクロセルネットワーク装置１０８に直接に、又はＵＥ固有セルセット１０６のサービングスモールセルネットワーク装置１１６に、通知できる。また、サービングスモールセルネットワーク装置１１６は、マクロセルネットワーク装置１０８に通知できる。ＵＥ１２０が、マクロセル１０２のリンク又はサービングスモールセル１２２のリンクを介して、マクロセルネットワーク装置１０８に識別されたＵＥ固有セルセット１０６を通知すると、ＵＥ固有セルセット１０６は、ＵＥ１２０の指示で起こり得るハンドオーバ又はアクセスのために準備する。
【００８７】
ＵＥ１２０はＤＬセル測定に基づき自身のサービングセルネットワーク装置１１６を選択するが、マクロセル１０２は、無線リソース管理を制御し、及び代替で（ＵＥポーリングに基づくセル検出のために）ＵＥ固有セルセット１０６のスモールセル部分も決定し、又はＵＥ１２０が（図４に示すような、ブロードキャストに基づくセル検出のために）ＵＥ固有セルセット１０６を候補スモールセルネットワーク装置１０４のサブセット（例えば、スモールセルネットワーク装置１１４、１１６）として決定するためのパラメータセット及び基準を構成する。
【００８８】
ＵＥ固有セルセット１０６のスモールセルネットワーク装置１１４、１１６のＵＥコンテキスト検証コンポーネント４１３は、ＵＥコンテキストデータをマクロセルネットワーク装置１０８から又はコアネットワークエンティティから受信し、さらに、ＵＥコンテキストデータ（例えば、サブスクリプション情報、ユニーク識別情報、移動性情報、又は他のＵＥ関連パラメータ）の検証を実行し、ＵＥ１２０のために任意のリソース（例えば、ランダムアクセスプリアンブル、帯域幅、通信データ、等）を予約できる。ＵＥ１２０が、ＱｏＳの低下又は閾より低い他の劣化のようなサービングスモールセルに関する一貫したリンク問題を検出し、又はより適切なセルを見付けるとき、ＵＥ１２０は、ネットワークにより示されるハンドオーバ基準に従いハンドオーバの決定を行い、（ＵＥ固有セルセット１０６から選択された）目標スモールセルネットワーク装置１１４に直接アクセスできる。ＵＥ１２０の選択コンポーネント４１４は、選択されたＵＥ固有セルセット１０６の中から、例えばアクセス／負荷データ、ＵＥ移動性若しくは位置に関連する測定及び／又はセル選択パラメータに基づき、目標スモールセルネットワーク装置１１４を決定できる。４１６で、ＵＥ１２０は、（例えば、ＨＦＢ  ＲＡＴ接続を介して）ＨＯ要求を通信する。４１６で、ＵＥ１２０は、例えば示されたタイミングアドバンス（ＴＡ）値又はＵＬリソースを用いて、目標スモールセルネットワーク装置１１４へＨＯ要求メッセージを直接送信する。この通信は、ソースセル１２２に関連する情報を含み得る。この通信で、ＨＯ要求メッセージ４１６と一緒に、ＵＥ１２０は、ビーム形成トレーニング通信交換を更に要求できる。
【００８９】
目標スモールセルネットワーク装置１１４は、次に、ＨＯ動作の場合には、解放要求４２０をソーススモールセルネットワーク装置へ送信する。ソーススモールセルネットワーク装置は、対応するＵＥコンテキスト検証コンポーネントでメッセージを検証し４２２、解放及びＵＥ１２０に関連するバックホールリンク上のメッセージでデータ（例えば、進行中のユーザデータ、ＭＡＣ層状態データ、所望のリソースデータ、又はＵＥ１２０にサービスするためのデータ）を転送できる４２４。転送されるデータ４２４は、４２６で、バッファコンポーネントによりバッファリングされ、次に、解放要求肯定応答が受信されることに応答して４２８、処理され得る。ソーススモールセルネットワーク装置１１６から転送されたデータを受信した後に、目標スモールセルネットワーク装置１１４は、メッセージをマクロセルネットワーク装置１０８へ送信して４３０、マクロセルネットワーク装置１０８にハンドオーバ及び更新されたサービングスモールセルネットワーク装置１１４を知らせ、一緒に、「ハンドオーバ完了」メッセージがＵＥ１２０へ送信される４３２。
【００９０】
ＵＥ１２０が、良好なリンク品質を有する近隣セルを新たに検出すること、又はさらに、現在のＵＥ固有セルセット１０６の中で良好なリンク品質を有する（所定の閾より高いＱｏＳ又は他の品質因子を有する）近隣セルの数の減少を観察することに応答して、ＵＥ１２０は、更新コンポーネント４１０によりＵＥ固有セルセット１０６を更新し、スモールセルネットワーク装置１１４又はマクロセルネットワーク装置１０８を介する１又は複数の通信によりネットワークに変化を通知できる４３４。
【００９１】
図５を参照すると、マクロセルにより支援されるスモールセルネットワークの中でＵＥにより指示されるアクセス及びハンドオーバ動作を可能にするための、種々の態様に従う例示的な方法５００が示される。５０２で、ＵＥ１２０は、候補スモールセル１０４のような、スモールセルネットワーク装置１１０〜１１８により提供されるスモールセルに関連する支援データ（情報）を、マクロセルにより支援されるスモールセルネットワークのような異種ネットワークの中のマクロセルネットワーク装置１０８から受信する。
【００９２】
支援データは、ＵＥ１２０によるスモールセルのセル識別及びセル測定を可能にする、マクロセルのカバレッジゾーンの中のスモールセルに関する専用支援情報であり得る。専用支援情報は、サービング又は近隣セルに関して決定される移動性測定に基づくセル固有パラメータを含み得る。支援データは、例えば、上述のように、ネットワーク展開（例えば、ＵＥ１２０に関連するような、アクセス／負荷情報、アップリンク測定、ダウンリンク測定、等）及びＵＥ移動性状態推定（例えば、加速度、位置、方向、速度、又は他のＵＥ関連移動性データ）に関連するような１又は複数のセル選択パラメータを含むことができる。支援データは、ＵＥ１２０が任意の所与のスモールセルネットワーク装置に接続できるようにするシステム情報、検出されるべきクラスタ又はクラスタヘッドスモールセルネットワーク装置のＰＣＩ、ＭＩＢ、ＳＩＢ、搬送波周波数、粗い（フレーム）タイミング情報、又はスモールセル若しくは対応するスモールセルネットワーク装置１１０〜１１８に関連する他のデータ、を含み得る。
【００９３】
５０４で、ＵＥ１２０は、支援データに基づき、候補スモールセルネットワーク装置１０４のサブセットとして、ＵＥ固有セルセット１０６を識別する。ＵＥ１２０は、測定を実行し又は決定し及び起こり得るアクセス又はハンドオーバ動作のために最適なスモールセルネットワーク装置を識別するために、支援データを利用できる。マクロセルネットワーク装置１０８は、例えば、ＵＥ移動性、位置、アクセス若しくは負荷データ（例えば、現在サービスされている又は利用可能なＵＥの数に対するネットワーク装置の能力）、又は他のパラメータに基づき、候補スモールセルネットワーク装置に関連する支援データを提供できる。
【００９４】
５０６で、ＵＥ１２０は、アクセス動作又はハンドオーバ動作を実現するために、決定されたＵＥ固有セルセットの指示を送信する。スモールセルネットワーク装置は、それぞれ、アクセスのためにＵＥ１２０により選択されている場合に、接続を可能にするために、ＵＥコンテキスト情報を処理できる。他の態様では、ＵＥ１２０、スモールセルネットワーク装置、又はマクロセルネットワーク装置は、ＵＥ固有セルセットの指示を、候補スモールセルネットワーク装置セットの中の１又は複数のスモールセルネットワーク装置から受信できる。ここで、ＵＥ固有セルセットは、例えば、１又は複数のスモールセルネットワーク装置による候補スモールセルネットワーク装置セットの、アップリンク測定、ダウンリンク測定、及び／又はアクセス負荷情報に基づき識別される。アップリンク測定は、候補スモールセルネットワーク装置セットの、ＵＥポーリング信号、アップリンクサウンディング参照信号、又はランダムアクセスプリアンブルに基づき得る。ここで、ダウンリンク測定は、セル固有参照信号又はＵＥ固有ビーム形成同期信号のうちの少なくとも１つに基づく。
【００９５】
５０８で、ＵＥ１２０は、さらに、第１の又は目標スモールセルネットワーク装置を、ＵＥ固有セルセットから、１又は複数のセル選択パラメータに基づき選択する。セル選択パラメータは、例えば、アップリンク測定から得られ及びポーリング応答メッセージを介して送信されるデータを含み得る。ポーリング応答メッセージは、ＵＥ１２０によるハンドオーバのためにアクセスすべき又は目標とすべきＵＥ固有セルセット１０６のスモールセルを決定するために、ＵＥ固有セルセット１０６の最新のシステム情報、ＵＥ固有同期信号、アップリンクタイミングアドバンス値、アップリンクリソース割り当て情報、セル無線ネットワーク一時識別子（Ｃ−ＲＮＴＩ）、又は他の同様のパラメータを含み得る。
【００９６】
方法５００は、さらに、第２のスモールセルを、ＵＥ固有セルセットから、１又は複数のセル選択パラメータに基づき選択するステップを有し得る。アクセス要求メッセージ又はハンドオーバ要求メッセージは、第２のスモールセルの第２のスモールセルネットワーク装置へ送信され得る。ＵＥは、次に、第１のスモールセルから第２のスモールセルへのハンドオーバ動作を、選択された第２のスモールセルネットワーク装置に基づき、指示できる。
【００９７】
ポーリングに基づくスモールセル手順では、ＵＥは、ポーリング応答メッセージを１又は複数のスモールセルネットワーク装置から受信できる。ポーリング応答メッセージは、例えば、ＵＥ固有セルセットの最新システムデータ、ＵＥ固有同期信号、アップリンクタイミングアドバンス値、アップリンクリソース割り当てデータ、又はセル無線ネットワーク一時識別子（Ｃ−ＲＮＴＩ）を含み得る。近隣セルのリンク品質の測定では、アップリンク測定に基づき１又は複数のセル選択パラメータの生成を開始するために、ＵＥ１２０は、例えば、第１の周期を有する第１のＵＥポーリング信号をＵＥ固有セルセット１０６へ、及び第２の周期を有する第２のＵＥポーリング信号を、候補スモールセル１０４のセットへ、周期的に送信できる。ここで、第１の周期は第２の周期より短くなり得る。代替又は追加で、ＵＥポーリング信号は、例えば、第１のスモールセルのリンク品質の少なくとも１つの低下又はＵＥ固有セルセットの中で所定の閾を満たすリンク品質を有するスモールセルの数の減少のようなイベントトリガに応答して、通信され得る。ＵＥ１２０は、周期的にビーム形成アップリンクサウンディング参照信号（ＳＲＳ）を送信しビーム形成ダウンリンク同期信号（ＳＳ）を受信することにより、サービングスモールセルについてダウンリンク測定を実行できる。
【００９８】
ブロードキャストに基づくセル検出手順では、ＵＥ１２０は、周期的に送信される同期信号及び／又はセル固有参照信号を受信することにより、１又は複数のスモールセルに関してダウンリンク測定を実行できる。幾つかの展開シナリオでは、マクロセル１０２のリンク品質は劣化するが、ＵＥ１２０は、ＵＥ固有セルセットの１又は複数のスモールセルについて良好なリンク品質を維持できる。ＵＥ固有セルセット１０６についての測定結果は、例えば、次に、マクロセル周波数層での測定レポートの中で、マクロセルネットワーク装置１０８に通信できる。したがって、マクロセルネットワーク装置１０８は、マクロセルハンドオーバ中に、ＵＥ固有セルセット又は候補スモールセルネットワーク装置を更新するか否かを決定できる。
【００９９】
開示の主題の種々の態様について更なるコンテキストを提供するために、図６は、本願明細書に開示の特徴又は態様を可能にする及び／又は利用できるネットワーク（例えば、マクロセルネットワーク装置、基地局、無線アクセスポイント、スモールセルネットワーク装置、又はスモールセルアクセスポイント、等）のアクセスに関連するアクセス（ユーザ）機器６００の一実施形態のブロック図を示す。
【０１００】
アクセス機器又はＵＥ６００は、ＵＥ１２０の別の例であり、ネットワークのアクセスに関連し、セグメント６０２１〜６０２Ｂ（Ｂは正整数）を通じて、無線装置、無線ポート、無線ルータ、等から及びそれらへ信号を受信し及び送信できる。セグメント６０２１〜６０２Ｂは、アクセス機器及び／又はネットワークのアクセスに関連するソフトウェア６００の内部及び／又は外部にあり、監視コンポーネント６０４及びアンテナコンポーネント６０６により制御できる。監視コンポーネント６０４及びアンテナコンポーネント６０６は、通信プラットフォーム６０８に結合できる。通信プラットフォーム６０８は、受信信号及び送信されるべき他の信号の処理及び操作を提供する電子コンポーネント及び関連回路を含み得る。
【０１０１】
一態様では、通信プラットフォーム６０８は、アナログ信号を受信するとアナログ信号をデジタル信号に変換でき、及び送信するときデジタル信号をアナログ信号に変換できる受信機／送信機６１０を含む。さらに、受信機／送信機６１０は、単一のデータストリームを複数の並列データストリームに分割し、又は相互動作を実行できる。受信機／送信機６１０には、時間及び周波数空間で信号の操作を実現できるマルチプレクサ／デマルチプレクサ６１２が結合され得る。マルチプレクサ／デマルチプレクサ６１２は、時分割多重化、周波数分割多重化、直交周波数分割多重化、符号分割多重化、空間分割多重化のような種々の多重化方式に従い、情報（データトラフィック及び制御シグナリング）を多重化できる。さらに、マルチプレクサ／デマルチプレクサ６１２は、情報（例えば、符号を、Ｈａｄａｍａｒｄ−Ｗａｌｓｈ符号、Ｂａｋｅｒ符号、Ｋａｓａｍｉ符号、多相符号、等のような従来知られている適切な任意の符号に従い）スクランブルし及び拡散できる。
【０１０２】
変調機／復調機６１４は、通信プラットフォーム６０８の一部でもあり、周波数変調、振幅変調（例えば、Ｍ−ａｒｙ直交振幅変調、ここでＭは正整数）、位相偏移キーイング、等のような複数の変調技術に従い情報を変調できる。
【０１０３】
ネットワークのアクセスに関連するＵＥ６００は、プロセッサ６１６も含む。プロセッサ６１６は、実質的には、アクセス機器及び／又はソフトウェア６００の中の任意の電子コンポーネントに機能を少なくとも部分的に与えるよう構成される。特にプロセッサ６１６は、例えば監視コンポーネント６０４、アンテナコンポーネント６０６、及びその中の１又は複数のコンポーネントを通じて、ＵＥ６００の構成を実現できる。追加で、ＵＥ６００は、ディスプレイインタフェース６１８を含み得る。ディスプレイインタフェース６１８は、アクセス機器及び／又はソフトウェア６００の機能を制御する機能を表示し、又はその動作状態を開示できる。さらに、ディスプレイインタフェース６１８は、情報をエンドユーザに伝達するためのスクリーンを含み得る。一態様では、ディスプレイインタフェース６１８は、液晶ディスプレイ、プラズマパネル、モノリシック薄膜ベースのエレクトロクロミックディスプレイ、等であり得る。さらに、ディスプレイインタフェース６１８は、エンドユーザに操作指示を伝達するメッセージと関連しても利用できる聴覚徴候の通信を実現するコンポーネント（スピーカ）を含み得る。ディスプレイインタフェース６１８は、（例えば、リンクされたキーパッドを通じて又はタッチジェスチャを通じて）アクセス機器及び／又はソフトウェア６００に外部コマンド（例えば、再起動動作）を受信させることができるデータ入力も実現できる。
【０１０４】
広帯域ネットワークインタフェース６２０は、ＵＥ６００のサービスプロバイダネットワーク（図示しない）への接続を実現する。サービスプロバイダネットワークは、入ってくる及び出て行くデータフローを可能にする１又は複数のセルラ技術（例えば、３ＧＰＰ（third  generation  partnership  project）ＵＭＴＳ（universal  mobile  telecommunication  system）、ＧＳＭ（global  system  for  mobile  communication）、等）を含み得る。広帯域ネットワークインタフェース６２０は、ＵＥ６００の内部又は外部にあり、エンドユーザ相互作用及び状態情報配信のためにディスプレイインタフェース６１８を利用できる。
【０１０５】
プロセッサ６１６は、通信プラットフォーム６０８に機能的に接続でき、直接及び逆高速フーリエ変換、変調レートの選択、データパケットフォーマットの選択、パケット間時間、等を達成するような、多重化／逆多重化のためにデータ（例えば、シンボル、ビット、又はチップ）に対する操作を実現できる。さらに、プロセッサ６１６は、データ、システム、又はアドレスバス６２２を通じて、ディスプレイインタフェース６１８及び広帯域ネットワークインタフェース６２０に機能的に接続でき、このようなコンポーネントの各々に少なくとも部分的に機能を与える。
【０１０６】
ＵＥ６００では、メモリ６２４は、アクセス機器及び／又はソフトウェア６００を通じて無線カバレッジへのアクセスを認可する位置及び／又はカバレッジ領域（例えば、マクロセクタ、識別子）アクセスリスト、アクセス機器及び／又はソフトウェア６００の無線環境の中でのカバレッジ領域のランク付けを含み得るセクタ知識、それらに関連する無線リンク品質及び強度、等を保持できる。メモリ６２４は、データ構造、符号命令及びプログラムモジュール、システム若しくは装置情報、スクランブル、拡散及びパイロット送信のための符号シーケンス、アクセスポイント構成、等も格納できる。プロセッサ６１６は、アクセス機器及び／又はソフトウェア６００の中に存在するコンポーネント、プラットフォーム、及びインタフェースを作動させ及び／又は機能を与えるために使用される情報を格納し及び読み出すために、（例えば、メモリバスを通じて）メモリ６２４に結合できる。
【０１０７】
さらに、ＵＥ６００は、１つのコンポーネントの中に又はそれぞれ別個のコンポーネントとして、制御コンポーネント２２２として動作するよう構成される測定／復号化／選択／更新コンポーネント２２２を更に有し得る。例えば、制御コンポーネント２２２は、支援情報に基づきセル選択パラメータを測定し、候補スモールセル１０４の中からＵＥ固有セルセット１０６を識別するよう構成され得る。ＵＥ固有セルセットは、通信機（送信機）又は通信コンポーネント６１０からのＵＥポーリング信号、アップリンクサウンディング参照信号、又はランダムアクセスプリアンブルに基づくアップリンク測定から識別され又は選択され得る。測定及び選択は、セル固有参照信号に又はＵＥ固有のビーム形成ダウンリンク同期信号に基づくダウンリンク測定からも生成できる。
【０１０８】
バッファコンポーネント２１４は、候補セルをカバーするマクロセルを介して送信される候補スモールセルのブロードキャストシステム情報（ＳＩ）メッセージをバッファリングするよう構成される。制御コンポーネント２２２は、ＵＥ固有セルセット又は第１のスモールセルをＵＥ固有セルセットから選択するために、ブロードキャストＳＩメッセージを復号化するよう更に構成される。
【０１０９】
図７を参照すると、無線通信環境７００は、以下の２つの無線ネットワークプラットフォームを有する。（ｉ）マクロネットワークプラットフォーム７１０。これは、マクロセルネットワーク装置（例えば、マクロセルネットワーク装置１０８）によりマクロ無線アクセスネットワーク（ＲＡＮ）７７０を介してユーザ機器７７５（例えば、ＵＥ１２０）との通信をサービスし又は実現する。理解されるべきことに、セルラ無線技術（例えば、３ＧＰＰ  ＵＭＴＳ、ＨＳＰＡ、３ＧＰＰ  ＬＴＥ、３ＧＰＰ２  ＵＭＢ、４ＧＰＰ、等）では、マクロネットワーク７１０は、コアネットワークの中に具現化される。（ｉｉ）スモールセルネットワークプラットフォーム７８０。これは、ＲＡＮ７９０を通じてＵＥ７７５との通信を提供する。ＲＡＮ７９０は、バックホールパイプ７８５（例えば、バックホールリンク）を介してスモールセルネットワークプラットフォーム７８０にリンクされる。理解されるべきことに、マクロネットワークプラットフォーム７１０は、本願明細書に記載の態様により開示されるように、自己指示されるアクセス又はハンドオーバ動作において、ＵＥ７７５を支援するよう動作できる。
【０１１０】
留意すべきことに、ＲＡＮは、基地局に関連して作動される無線空中リンクに加えて、基地局、又はアクセスポイント、及びその関連する電子回路及び展開サイトを含む。したがって、マクロＲＡＮ７７０は、種々のカバレッジセルを有し得る。一方で、スモールセルＲＡＮ７９０は、スモールセルネットワーク装置１１０〜１１８又はマクロセルネットワーク装置及びＵＥ７７５にも接続され得るｍｍＷ装置のクラスタのような、複数のスモールセルアクセスポイントを有し得る。スモールセルＲＡＮ７９０の中の展開密度は、実質的に、マクロＲＡＮ７７０の中よりも高い。
【０１１１】
概して、マクロ及びスモールセルネットワークプラットフォーム７１０及び７８０の両者は、例えば、パケット交換（ＰＳ）（例えば、インターネットプロトコル（ＩＰ）、フレームリレー、非同期転送モード（ＡＴＭ））と回線交換（ＣＳ）トラフィック（例えば、音声及びデータ）の両方を実現するコンポーネント、例えば、ノード、ゲートウェイ、インタフェース、サーバ、又はプラットフォームを有し、ネットワーク接続された無線通信のために生成を制御する。主題となる新規なアイデアの一態様では、マクロネットワークプラットフォーム７１０は、ＣＳゲートウェイノード７１２を含む。ＣＳゲートウェイノード７１２は、電話ネットワーク７４０（例えば、公衆交換電話ネットワーク（public  switched  telephone  network：ＰＳＴＮ）、又はＰＬＭＮ（public  land  mobile  network））又はＳＳ７ネットワーク７６０のようなレガシネットワークから受信したＣＳトラフィックをインタフェースできる。回線交換ゲートウェイ７１２は、このようなネットワークから生じるトラフィック（例えば、音声）を認可し及び認証できる。追加で、ＣＳゲートウェイ７１２は、移動性、又はローミング、ＳＳ７ネットワーク７６０を通じて生成されたデータ、例えばメモリ７３０の中に存在し得るＶＬＲに格納された移動性データにアクセスできる。さらに、ＣＳゲートウェイノード７１２は、ＣＳに基づくトラフィック及びシグナリング及びゲートウェイノード７１８をインタフェースする。一例として、３ＧＰＰ  ＵＭＴＳネットワークでは、ＰＳゲートウェイノード７１８は、ゲートウェイＧＰＲＳサポートノード（ＧＧＳＮ）の中で具現化され得る。
【０１１２】
ＣＳ交換トラフィック及びシグナリングを受信し及び処理することに加えて、ＰＳゲートウェイノード７１８は、（例えば、マクロＲＡＮを通じて）サービスされる無線装置とのＰＳに基づくデータセッションを認可し及び認証できる。データセッションは、広域ネットワーク（ＷＡＮ）７５０、エンタープライズネットワーク（ＮＷ）７７０（例えば、拡張９１１）、又はＩＰマルチメディアサブシステム（ＩＭＳ）のようなサービスＮＷ７８８、のようなマクロネットワークプラットフォーム７１０の外部にあるネットワークとのトラフィック交換を含み得る。理解されるべきことに、エンタープライズＮＷの一部であっても良いローカルエリアネットワーク（ＬＡＮ）も、ＰＳゲートウェイノード７１８を通じてマクロネットワークプラットフォーム７１０とインタフェースできる。パケット交換ゲートウェイノード７１８は、データセッションが確立されると、パケットデータコンテキストを生成する。この目的のために、一態様では、ＰＳゲートウェイノード７１８は、Ｗｉ−Ｆｉネットワークのような異種無線ネットワークとのパケット化通信を実現できるトンネルインタフェース（例えば、３ＧＰＰ  ＵＭＴＳネットワークの中のトンネル終端ゲートウェイ（tunnel  termination  gateway：ＴＴＧ）、図示しない）を含み得る。更に理解されるべきことに、パケット化通信は、サーバ７１４を通じて生成され得る複数のフローを含み得る。留意すべきことに、３ＧＰＰ  ＵＭＴＳネットワークでは、ＰＳゲートウェイノード７１８（例えば、ＧＧＳＮ）及びトンネルインタフェース（例えば、ＴＴＧ）は、パケットデータゲートウェイ（：ＰＤＧ）を有する。
【０１１３】
マクロネットワークプラットフォーム７１０は、ＰＳゲートウェイノード７１８を通じて受信される情報又はデータストリームの種々のパケット化フローを伝達するサービングノード７１６も含む。一例として、３ＧＰＰ  ＵＭＴＳネットワークでは、サービングノードは、サービングＧＰＲＳサポートノード（ＳＧＳＮ）の中で具現化され得る。
【０１１４】
上述のように、マクロネットワークプラットフォーム７１０の中のサーバ７１４は、複数の異種パケット化データストリーム又はフローを生成し及び該フローを管理する（例えば、スケジュール、キュー、フォーマット）数多くのアプリケーション（例えば、位置サービス、オンラインゲーム、無線バンキング、無線装置管理、．．．）を実行できる。このようなアプリケーションは、例えば、マクロネットワークプラットフォーム７１０により提供される行準的サービスへのアドオン機能を含み得る。データストリームは、認可／認証及びデータセッションの開始のためにＰＳゲートウェイノード７１８に、及び以後の通信のためにサービングノード７１６に、伝達され得る。サーバ７１４は、ＣＳゲートウェイノード７１２及びＰＳゲートウェイノード７１８が制定できる認可及び認証手順に加えて、ネットワークの動作及びデータの完全性を保証するために、マクロネットワークプラットフォーム７１０のセキュリティを達成することもできる。さらに、サーバ７１４は、外部ネットワーク、例えばＷＡＮ７５０、又はエンタープライズNWの一部であり得るＧＰＳ（Global  Positioning  System）ネットワークからのサービスを提供できる。留意すべきことに、サーバ７１４は、マクロネットワークプラットフォーム７１０の機能を少なくとも部分的に与えるよう構成される１又は複数のプロセッサを含み得る。この目的のために、１又は複数のプロセッサは、例えばメモリ７３０に格納された符号命令を実行できる。
【０１１５】
例示的な無線環境７００では、メモリ７３０は、マクロネットワークプラットフォーム７１０の動作に関連する情報を格納する。情報は、加入者に関連するビジネスデータ、市場計画及び戦略、例えば販促運動、ビジネスパートナシップ、マクロネットワークプラットフォームを通じてサービスされるモバイル装置の運用データ、サービス及びプライバシポリシ、法施行のためのエンドユーザサービスログ、等を含み得る。メモリ７３０は、電話ネットワーク７４０、ＷＡＮ７５０、ＳＳ７ネットワーク７６０、エンタープライズＮＷ７７０、又はサービスＮＷ７８０のうちの少なくとも１つからの情報も格納できる。
【０１１６】
スモールセルネットワークプラットフォーム７８０に関して、これは、ＰＳゲートウェイノード７１８と実質的に同じ機能を有するスモールセルゲートウェイノード７８４を含む。追加で、ゲートウェイノード７８４は、サービングノード７１６の実質的に全部の機能も有し得る。異種ゲートウェイノード７８４は、ＲＡＮ７９０の一部であり得る展開されるスモールセルアクセスポイント（又はスモールセルネットワーク装置）の異種セットを制御し又は作動できる。ゲートウェイノード７８４は、展開されるアクセスポイント（ＡＰ）、ＵＥ７７５、又はマクロネットワークから受信した運用データを統合できる。さらに、ゲートウェイノード７８４は、アタッチメントコンポーネント７２０に受信したアタッチメントシグナリングを伝達できる。理解されるべきことに、アタッチメントコンポーネントはゲートウェイノード７８４の外部にあるとして示されるが、アタッチメントコンポーネント７２０は、ゲートウェイノード７８４の統合部分であり得る。種々の態様に従い上述した種々のインタフェースコンポーネントは、前述のノードと相互作用するために使用され得る。
【０１１７】
アタッチメントコンポーネント７２０は、支援情報に基づくＵＥ７７５のスモールセルネットワーク装置（例えば、装置１１６）の選択に従い記述されるスモールセルＡＰとのアタッチメントにより、スモールセルとスモールセル、マクロセルとマクロセル、及びスモールセルとマクロセルとのハンドオーバを実現できる。メモリ７８６は、スモールセルネットワークプラットフォーム７８０の種々のコンポーネントの動作に関連する追加情報を保持できる。例えば、メモリ７８６に格納され得る運用又はシステム情報は、限定ではないが、加入者知識、契約サービス、保守及びサービス記録、スモールセル構成（例えば、スモールセルＲＡＮ７９０を通じてサービスされる装置、１又は複数の展開されたスモールセルＡＰに関連する認可加入者）、サービスポリシ及び仕様、プライバシポリシ、アドオン機能、ＵＥコンテキスト情報、ポーリングリソース、セル選択パラメータ、等を有し得る。
【０１１８】
サーバ７８２は、サーバ７１４に関連して記載したものと実質的に同じ機能を有する。一態様では、サーバ７８２は、ＲＡＮ７９０を通じて無線装置にサービス（例えば、音声及びデータ）を提供する複数のアプリケーションを実行できる。サーバ７８２は、スモールセルネットワークプラットフォーム７８０にセキュリティ機能も提供できる。さらに、サーバ７８２は、マクロセルネットワークプラットフォーム７１０から受信したデータに加えて、自身が生成する実質的に全部の（例えば、ＩＰに基づく、フレームリレーに基づく、ＡＴＭに基づく）パケット化フローを管理できる（例えば、スケジュール、キュー、フォーマット、．．．）。さらに、サーバ７８２は、スモールセルサービスの提供を達成し、運用及び保守を達成できる。留意すべきことに、サーバ７８２は、プロビジョニングサーバを具現化でき、本願明細書に記載の態様に従いＵＥ７７５又はＵＥ固有セルセットに対する候補スモールセルの候補リストを投入できる。留意すべきことに、サーバ７８２は、スモールセルネットワークプラットフォーム７８０の機能を少なくとも部分的に提供する構成される１又は複数のプロセッサを含み得る。この目的のために、１又は複数のプロセッサは、例えばメモリ７８６に格納された符号命令を実行できる。
【０１１９】
本願明細書において使用されるように、用語「プロセッサ」は、限定ではないが、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、並列プラットフォーム、及び分散共有メモリを有する並列プラットフォーム、を含む実質的に任意の計算処理ユニット又は装置を表し得る。追加で、プロセッサは、本願明細書に記載の機能及び／又はプロセスを実行するよう設計される、集積回路、特定用途向け集積回路、デジタル信号プロセッサ、フィールドプログラマブルゲートアレイ、プログラマブルロジックコントローラ、複合プログラマブルロジック装置、ディスクリートゲート若しくはトランジスタロジック、ディスクリートハードウェアコンポーネント、又はそれらの任意の組合せ、を表し得る。プロセッサは、限定ではないが、空間使用を最適化し及びモバイル装置の性能を拡張するために、分子及び量子ドットに基づく遷移、スイッチ、及びゲートのようなナノスケールアーキテクチャを利用し得る。プロセッサは、計算処理ユニットの組合せとして実装されても良い。
【０１２０】
本願明細書では、「ストア」、「データストア」、「データ記憶装置」、「データベース」のような用語、及びコンポーネント及び／処理の動作及び機能に関連する実質的に任意の他の情報記憶コンポーネントは、「メモリコンポーネント」又は「メモリ」若しくはメモリを含むコンポーネントの中で具現化されるエンティティを表す。留意すべきことに、本願明細書に記載のメモリコンポーネントは、揮発性メモリ又は不揮発性メモリであり得、又は揮発性及び不揮発性メモリの両方を含み得る。
【０１２１】
説明のために、限定ではなく、不揮発性メモリは、例えば、不揮発性メモリ、ディスク記憶装置、又はメモリ記憶装置のようなメモリの中に含まれ得る。さらに、不揮発性メモリは、読み出し専用メモリ、プログラマブル読み出し専用メモリ、電気的プログラマブル読み出し専用メモリ、電気的消去可能プログラマブル読み出し専用メモリ、又はフラッシュメモリに含まれ得る。揮発性メモリは、外部キャッシュメモリとして動作するランダムアクセスメモリ（ＲＡＭ）を含み得る。説明を目的として及び限定ではなく、ランダムアクセスメモリは、同期ランダムアクセスメモリ、動的ランダムアクセスメモリ、同期動的ランダムアクセスメモリ、ダブルデータレート同期動的ランダムアクセスメモリ、拡張同期動的ランダムアクセスメモリ、Ｓｙｎｃｈｌｉｎｋ動的ランダムアクセスメモリ、及び直接Ｒａｍｂｕｓランダムアクセスメモリのような多くの形式で利用可能である。追加で、本願明細書のシステム又は方法の開示のメモリコンポーネントは、上述の及び任意の他の適切な種類のメモリを含むことを意図しているが、これらを含むことに限定されない。
【０１２２】
例は、方法、方法の動作又はブロックを実行する手段、機械により実行されると該機械に本願明細書に記載の実施形態及び例に従う複数の通信技術を用いる同時通信のための方法の又は装置若しくはシステムの動作を実行させる命令を含む少なくとも１つの機械可読媒体、を含み得る。
【０１２３】
例１は、ユーザ機器（ＵＥ）であって、複数の候補スモールセルに関連する支援情報を受信するよう構成される受信機コンポーネントと、前記支援情報に基づき１又は複数のセル選択パラメータを決定し、前記複数の候補スモールセルのサブセットを有するＵＥ固有セルセットを識別し、前記１又は複数のセル選択パラメータに基づき前記ＵＥ固有セルセットから第１のスモールセルを選択するよう構成される制御コンポーネントと、前記制御コンポーネントによる前記第１のスモールセルの選択に応答して、アクセス要求メッセージ又はハンドオーバ要求メッセージを送信することにより、前記第１のスモールセルとのアクセス動作又はハンドオーバ動作を実施するよう構成される送信機コンポーネントと、を有する。
【０１２４】
例２は、例１の主題を含み、前記受信機コンポーネントは、マクロセルのマクロセルネットワーク装置から、又は前記複数の候補スモールセルのうちのサービングスモールセルのサービングスモールセルネットワーク装置から、前記支援情報を受信するよう更に構成され、前記複数の候補スモールセルは、前記マクロセルに通信可能に結合されるスモールセルの別のサブセットを有する。
【０１２５】
例３は、例１〜２のいずれかの主題を含み、任意の特徴を包含し又は省略し、前記支援情報は、ＵＥ位置又はＵＥ移動性データに基づく、マクロセルに通信可能に結合されるスモールセルからの前記複数の候補スモールセルの識別情報、又はスモールセルクラスタの識別情報、を有する。
【０１２６】
例４は、例１〜３のいずれかの主題を含み、任意の特徴を包含し又は省略し、前記制御コンポーネントは、ＵＥポーリング信号、アップリンクサウンディング参照信号、又はランダムアクセスプリアンブルに基づくアップリンク測定に基づき、又はセル固有参照信号に若しくはＵＥ固有ビーム形成同期信号に基づくダウンリンク測定から、前記ＵＥ固有セルセットを選択するよう更に構成される。
【０１２７】
例５は、例１〜４のいずれかの主題を含み、任意の特徴を包含し又は省略し、前記送信機コンポーネントは、前記ＵＥ固有セルセットの選択を、前記複数の候補スモールセルに若しくは前記複数の候補スモールセルのサービングスモールセルのサービングスモールセルネットワーク装置に通信可能に結合されるマクロセルのマクロセルネットワーク装置へ、送信するよう更に構成される。
【０１２８】
例６は、例１〜５のいずれかの主題を含み、任意の特徴を包含し又は省略し、前記支援情報は、前記複数の候補スモールセルに関連するシステム情報と、物理セル識別情報（ＰＣＩ）、搬送波周波数、フレームタイミングデータ、巡回プレフィックス長、及びポーリングリソースのうちの少なくとも１つと、を有する。
【０１２９】
例７は、例１〜６のいずれかの主題を含み、任意の特徴を包含し又は省略し、前記送信機コンポーネントは、ポーリング信号を、マクロセルの中の前記複数の候補スモールセルの複数の候補スモールセルネットワーク装置に通信するよう更に構成され、前記受信機コンポーネントは、前記ポーリングメッセージに応答して、ポーリング応答メッセージを、前記複数の候補スモールセルネットワーク装置のうちの少なくとも１つ又は前記マクロセルのマクロセルネットワーク装置から受信するよう更に構成され、前記制御コンポーネントは、前記ポーリング応答メッセージに基づき、前記ＵＥ固有セルセットを識別するよう更に構成される。
【０１３０】
例８は、例１〜７のいずれかの主題を含み、任意の特徴を包含し又は省略し、前記ポーリング応答メッセージは、前記ＵＥ固有セルセットの更新システム情報、ＵＥ固有同期情報、アップリンクタイミングアドバンス値、アップリンクリソース割り当て情報、及びセル無線ネットワーク一時識別子（Ｃ−ＲＮＴＩ）のうちの少なくとも１つを有する。
【０１３１】
例９は、例１〜８のいずれかの主題を含み、任意の特徴を包含し又は省略し、前記複数の候補スモールセルのブロードキャストシステム情報（ＳＩ）メッセージをバッファリングするよう構成されるバッファコンポーネント、を更に有し、前記制御コンポーネントは、前記ＵＥ固有セルセットを又は前記ＵＥ固有セルセットから前記第１のスモールセルを選択するために、前記ブロードキャストＳＩメッセージを復号化するよう構成される。
【０１３２】
例１０は、例１〜９のいずれかの主題を含み、任意の特徴を包含し又は省略し、第１の周期を有する第１のＵＥポーリング信号を前記ＵＥ固有セルセットへ、及び第２の周期を有する第２のＵＥポーリング信号を前記複数の候補スモールセルへ、周期的に送信し、前記第１の周期は前記第２の周期より短く、前記第１のＵＥポーリング信号及び前記第２のＵＥポーリング信号により、前記ＵＥ固有セルセット及び前記複数の候補スモールセルからポーリング応答メッセージを開始するよう構成されるポーリングコンポーネント、を更に有する。
【０１３３】
例１１は、例１〜１０のいずれかの主題を含み、任意の特徴を包含し又は省略し、前記制御コンポーネントは、ビーム形成アップリンクサウンディング参照信号（ＳＲＳ）を周期的に送信し、前記１又は複数のセル選択パラメータを決定するためのダウンリンク測定が実行されるべきビーム形成ダウンリンク同期信号（ＳＳ）を受信するよう構成される。
【０１３４】
例１２は、例１〜１１のいずれかの主題を含み、任意の特徴を包含し又は省略し、前記送信機コンポーネントは、前記ＵＥ装置が接続される第２のスモールセルのリンク品質の低下が観察されること、又は前記ＵＥ固有セルセットの中で所定の閾を満たす前記リンク品質を有するスモールセルの数の減少、のうちの少なくとも１つを含むトリガイベントに応答して、ＵＥポーリング信号を送信するよう更に構成され、前記送信機コンポーネントは、マクロセル周波数レイヤで測定レポートを送信するよう更に構成され、前記測定レポートは、前記ＵＥ固有セルセットについてのダウンリンク測定結果を含む。
【０１３５】
例１３は、実行可能命令を格納するコンピュータ可読記憶装置であって、該命令は、実行に応答して、プロセッサを有するシステムに工程を実行させる。前記工程は、ユーザ機器（ＵＥ）により、マクロセルに通信可能に結合される複数のスモールセルのうち、マクロセルにより支援されるスモールセルネットワークの中でＵＥがアクセスするよう構成される候補スモールセルセットに関連する支援データセットを受信するステップと、前記支援データセットに基づき、前記候補スモールセルセットのサブセットを含むＵＥ固有セルセットを識別するステップと、アクセス動作又はハンドオーバ動作を実現するために、前記ＵＥ固有セルセットの識別情報を送信するステップと、１又は複数のセル選択パラメータに基づき、前記ＵＥ固有セルセットから第１のスモールセルを選択し、前記第１のスモールセルの第１のスモールセルネットワーク装置への前記アクセス又はハンドオーバ動作を指示するステップと、を有する。
【０１３６】
例１４は、例１３の主題を含み、前記工程は、前記１又は複数のセル選択パラメータに基づき、前記ＵＥ固有セルセットから第２のスモールセルを選択するステップと、アクセス要求メッセージ又はハンドオーバ要求メッセージを、前記第２のスモールセルの第２のスモールセルネットワーク装置へ送信するステップと、前記第１のスモールセルから前記第２のスモールセルへの前記ハンドオーバ動作を実施するステップと、を更に有する。
【０１３７】
例１５は、例１３又は１４のいずれかの主題を含み、任意的機能を包含し又は省略し、前記工程は、前記マクロセルにより支援されるスモールセルネットワークの中のＵＥ位置情報又はＵＥ移動性パラメータのうちの少なくとも１つに基づき、前記候補スモールセルセットを決定するステップ、を更に有する。
【０１３８】
例１６は、例１３〜１５のいずれかの主題を含み、任意的機能を包含し又は省略し、前記工程は、前記ＵＥ固有セルセットの前記指示を、前記候補スモールセルセットのうちの１又は複数のスモールセルの１又は複数のスモールセルネットワーク装置から受信するステップであって、前記ＵＥ固有セルセットは、アップリンク測定、ダウンリンク測定、又は前記候補スモールセルセットのアクセス負荷情報、のうちの少なくとも１つに基づき識別される、ステップ、を更に有する。
【０１３９】
例１７は、例１３〜１６のいずれかの主題を含み、任意的機能を包含し又は省略し、前記アップリンク測定は、前記候補スモールセルセットの候補スモールセルネットワーク装置セットにより受信される、ＵＥポーリング信号、アップリンクサウンディング参照信号、又はランダムアクセスプリアンブル、のうちの少なくとも１つに基づき、前記ダウンリンク測定は、前記候補スモールセルネットワーク装置セットにより送信される、セル固有参照信号又はＵＥ固有ビーム形成同期信号のうちの少なくとも１つに基づく。
【０１４０】
例１８は、例１３〜１７のいずれかの主題を含み、任意的機能を包含し又は省略し、前記工程は、１又は複数のスモールセルの１又は複数のスモールセルネットワーク装置から１又は複数のポーリング応答メッセージを受信するステップであって、前記１又は複数のポーリング応答メッセージは、前記ＵＥ固有セルセットの最新システムデータ、ＵＥ固有同期信号、アップリンクタイミングアドバンス値、アップリンクリソース割り当てデータ、又はセル無線ネットワーク一時識別子（Ｃ−ＲＮＴＩ）、のうちの少なくとも１つを含む、ステップ、を有する。
【０１４１】
例１９は、例１３〜１８のいずれかの主題を含み、任意的機能を包含し又は省略し、前記工程は、前記マクロセルを介して通信される前記候補スモールセルセットに対するブロードキャストシステム情報（ＳＩ）メッセージをバッファリングし、前記ＵＥ固有セルセットの前記ブロードキャストＳＩメッセージを復号化するステップ、を更に有する。
【０１４２】
例２０は、例１３〜１９のいずれかの主題を含み、任意的機能を包含し又は省略し、前記工程は、アップリンク測定に基づき前記１又は複数のセル選択パラメータを決定するために、第１の周期を有する第１のＵＥポーリング信号を前記ＵＥ固有セルセットへ、及び第２の周期を有する第２のＵＥポーリング信号を、前記候補スモールセルセットの候補スモールセルネットワーク装置セットへ、周期的に送信するステップであって、前記第１の周期は前記第２の周期より短い、ステップ、を更に有する。
【０１４３】
例２１は、例１３〜２０のいずれかの主題を含み、任意的機能を包含し又は省略し、前記工程は、周期的にビーム形成アップリンクサウンディング参照信号（ＳＲＳ）を送信しビーム形成ダウンリンク同期信号（ＳＳ）を受信することにより、前記第１のスモールセルについてダウンリンク測定を実行するステップ、を更に有する。
【０１４４】
例２２は、例１３〜２１のいずれかの主題を含み、任意的機能を包含し又は省略し、前記工程は、前記第１のスモールセルのリンク品質の少なくとも１つの低下又は前記ＵＥ固有セルセットの中で所定の閾を満たす前記リンク品質を有するスモールセルの数の減少を有するイベントトリガに応答して、ＵＥポーリング信号を送信するステップ、を更に有する。
【０１４５】
例２３は、例１３〜２２のいずれかの主題を含み、任意的機能を包含し又は省略し、前記工程は、マクロセル周波数レイヤで測定レポートの中で前記ＵＥ固有セルセットのダウンリンク測定結果を通信するステップ、を更に有する。
【０１４６】
例２４は、ｅＮＢ（enhanced  Node  B）であって、候補スモールセルセットに関する専用支援情報をユーザ機器（ＵＥ）へ送信するよう構成され得る通信コンポーネントと、前記ＵＥに関してマクロセルの中の前記候補スモールセルセットの１又は複数のスモールセルのサブセットを含むＵＥ固有セルセットを識別し又は更新するよう構成される制御コンポーネントと、を有し、前記通信コンポーネントは、前記ＵＥ固有セルセットを前記ＵＥに通信することにより前記ＵＥが前記ＵＥ固有セルセットからアクセスすべき又はハンドオーバすべき目標スモールセルを選択し、及び前記ＵＥが前記専用支援情報に基づき前記目標スモールセルへの前記アクセス又は前記ハンドオーバを直接生成することに応答して、前記ＵＥと前記目標スモールセルの目標スモールセルネットワーク装置との間の接続の指示を受信できるように更に構成される。
【０１４７】
例２５は、例２４の主題を含み、前記制御コンポーネントは、ＵＥポーリング信号、アップリンクサウンディング参照信号、又はランダムアクセスプリアンブルのうちの少なくとも１つを有する少なくとも１つのアップリンク測定に基づき、前記ＵＥ固有セルセットを決定するよう更に構成され、前記通信コンポーネントは、マクロセル周波数レイヤで測定レポートを受信するよう更に構成され、前記測定レポートは、前記ＵＥ固有セルセットのダウンリンク測定結果を含む。
【０１４８】
理解されるべきことに、本願明細書に記載の態様は、ハードウェア、ソフトウェア、ファームウェア、又はそれらの任意の組合せにより実装できる。ソフトウェアで実装されるとき、機能は、１又は複数の命令又はコードにより、コンピュータ可読媒体に格納され又は送信され得る。コンピュータ可読媒体は、コンピュータ記憶媒体、及びある場所から別の場所へのコンピュータプログラムの転送を実現する任意の媒体を含む通信媒体の両方を含む。記憶媒体又はコンピュータ可読媒体は、汎用又は特定目的コンピュータによりアクセスできる任意の利用可能な媒体であり得る。例として、限定ではなく、このようなコンピュータ可読媒体は、所望の情報又は実行可能命令を運び又は格納するために使用できる、ＲＡＭ、ＲＯＭ、ＥＥＰＲＯＭ、ＣＤ−ＲＯＭ、又は他の光ディスク記憶装置、磁気ディスク記憶装置、又は他の磁気記憶装置、又は他の有形及び／又は非一時的媒体、を含み得る。また、任意の接続は、適正にコンピュータ可読媒体と称される。例えば、ソフトウェアが、同軸ケーブル、光ファイバケーブル、ツイストペア、デジタル加入者線（ＤＳＬ）、又は、赤外線、無線、及びマイクロ波のような無線技術を用いて、ウェブサイト、サーバ、又は他のリモートソースから送信される場合、同軸ケーブル、光ファイバケーブル、ツイストペア、ＤＳＬ、又は、赤外線、無線、及びマイクロ波のような無線技術は、媒体の定義に含まれる。ディスク（disk）及びディスク（disc）は、本願明細書で使用されるとき、コンパクトディスク（ＣＤ）、レーザディスク、光ディスク、ＤＶＤ（digital  versatile  disc）、フロッピーディスク、及びブルーレイ（登録商標）ディスク、を含む。ここで、ディスク（disk）は、通常、磁気的にデータを再生し、ディスク（disc）は、通常、レーザにより光学的にデータを再生する。上述の組合せも、コンピュータ可読媒体の範囲に包含されるべきである。
【０１４９】
本願明細書に開示の態様と関連して記載された種々の説明のためのロジック、論理ブロック、モジュール、及び回路は、本願明細書に記載の機能を実行するよう設計される、汎用目的プロセッサ、デジタル信号プロセッサ（ＤＳＰ）、特定用途向け集積回路（ＡＳＩＣ）、フィールドプログラマブルゲートアレイ（ＦＰＧＡ）、又は他のプログラマブル論理装置、ディスクリートゲート又はトランジスタロジック、ディスクリートハードウェアコンポーネント、又はそれらの任意の組合せにより実装され又は実行され得る。汎用目的プロセッサは、マイクロプロセッサであり得る。代替で、プロセッサは、任意の従来のプロセッサ、コントローラ、マイクロコントローラ、又は状態機械であり得る。プロセッサは、コンピューティング装置の組合せ、例えば、ＤＳＰとマイクロプロセッサ、複数のマイクロプロセッサ、ＤＳＰコアと連携する１又は複数のマイクロプロセッサ、又は任意の他のこのような構成、としても実装できる。追加で、少なくとも１つのプロセッサは、本願明細書に記載のステップ及び／又は動作のうちの１又は複数を実行するよう動作する１又は複数のモジュールを有し得る。
【０１５０】
ソフトウェア実装では、本願明細書に記載の技術は、本願明細書に記載の機能を実行するモジュール（例えば、手順、機能、等）により実装され得る。ソフトウェアコードは、メモリユニットに格納され、プロセッサにより実行され得る。メモリユニットは、プロセッサの中に又はプロセッサの外部に実装され得る。この場合には、メモリユニットは、従来知られているような種々の手段を通じてプロセッサに通信可能に結合され得る。さらに、少なくとも１つのプロセッサは、本願明細書に記載の機能を実行するよう動作する１又は複数のモジュールを含み得る。
【０１５１】
本願明細書に記載の技術は、ＣＤＭＡ、ＴＤＭＡ、ＦＤＭＡ、ＯＦＤＭＡ、ＳＣ−ＦＤＭＡ、及び他のシステムのような種々の無線通信システムのために使用され得る。用語「システム」及び「ネットワーク」は本願明細書では同義的に用いられる場合が多い。ＣＤＭＡシステムは、ＵＴＲＡ（Universal  Terrestrial  Radio  Access）、ＣＤＭＡ１８００、等のような無線技術を実装できる。ＵＴＲＡは、Ｗ−ＣＤＭＡ（Wideband−CDMA）及びＣＤＭＡの他の変形を含む。さらに、ＣＤＭＡ１８００は、ＩＳ−１８００、ＩＳ−９５、及びＩＳ−８５６標準をカバーする。ＴＤＭＡシステムは、１又は複数のＴＤＭＡ標準、例えばＧＳＭ（Global  System  for  Mobile  Communications）のような無線技術を実装できる。ＯＦＤＭＡシステムは、Ｅ−ＵＴＲＡ（Evolved  UTRA）、ＵＭＢ（Ultra  Mobile  Broadband）、ＩＥＥＥ８０２．１１（Wi−Fi）、ＩＥＥＥ８０２．１６（WiMAX）、ＩＥＥＥ８０２．１８、Ｆｌａｓｈ−ＯＦＤＭ、等を実装できる。ＵＴＲＡ及びＥ−ＵＴＲＡは、ＵＭＴＳ（Universal  Mobile  Telecommunication  System）の部分である。３ＧＰＰ  ＬＴＥ（Long  Term  Evolution）は、ＯＦＤＭＡをダウンリンクで及びＳＣ−ＦＤＭＡをアップリンクで利用する、Ｅ−ＵＴＲＡを使用するＵＭＴＳのリリースである。ＵＴＲＡ、Ｅ−ＵＴＲＡ、ＵＭＴＳ、ＬＴＥ及びＧＳＭは、３ＧＰＰ（３rd  Generation  Partnership  Project）という組織からの文書に記載されている。さらに、ＣＤＭＡ１８００及びＵＭＢは、３ＧＰＰ２（３rd  Generation  Partnership  Project  ２）という組織からの文書に記載されている。さらに、このような無線通信システムは、対になっていない未認可スペクトル、８０２．ｘｘ無線ＬＡＮ、ＢＬＵＥＴＯＯＴＨ（登録商標）、及び任意の他の短若しくは長距離無線通信技術を使用する場合の多いピアツーピア（例えば、モバイルツーモバイル）アドホックネットワークシステムを更に含み得る。
【０１５２】
ＳＣ−ＦＤＭＡ（Single  carrier  frequency  division  multiple  access）は、単一の搬送波変調及び周波数ドメイン等価を利用するものであり、開示の態様と共に使用できる技術である。ＳＣ−ＦＤＭＡは、同様の性能、及び基本的にＯＦＤＭＡシステムのものと同様の全体的な複雑性を有する。ＳＣ−ＦＤＭＡ信号は、その本来の信号キャリア構造のために低いＰＡＰＲ（peak−to−averagepowerratio）を有する。ＳＣ−ＦＤＭＡは、低いＰＡＰＲが送信電力効率の観点からモバイル端末に利益をもたらし得るアップリンク通信で利用できる。
【０１５３】
さらに、本願明細書に記載の種々の態様又は特徴は、標準的な名プログラミング及び／又はエンジニアリング技術を用いて方法、装置、又は製品として実装できる。用語「製品」は、本願明細書で使用されるとき、任意のコンピュータ可読装置、担体、又は記憶媒体からアクセスかのうなコンピュータプログラムを包含することを意図する。例えば、コンピュータ可読記憶媒体は、限定ではないが、特に、磁気記憶装置（例えばハードディスク、フロッピーディスク、磁気ストリップ、等）、光ディスク（例えば、コンパクトディスク（ＣＤ）、ＤＶＤ（digital  versatile  disk）、等）、スマートカード、フラッシュメモリ装置（例えば、ＥＰＲＯＭ、カード、スティック、キードライブ、等）、を含み得る。さらに、本願明細書に記載の種々の記憶媒体は、情報を格納する１又は複数の装置及び／又は他の機械可読媒体を表し得る。用語「機械可読媒体」は、限定ではなく、命令及び／又はデータを格納し、含み、及び／又は運ぶことが可能な無線チャネル及び種々の他の媒体を含み得る。さらに、コンピュータプログラムプロダクトは、コンピュータに本願明細書に記載の機能を実行させるよう動作する１又は複数の命令又はコードを有するコンピュータ可読媒体を有し得る。
【０１５４】
通信媒体は、通常、コンピュータ可読命令、データ構造、プログラムモジュール又は変調データ信号、例えば搬送波又は他のトランスポートメカニズムのようなデータ信号内の他の構造化又は非構造化データを具現化し、任意の情報配信又はトランスポート媒体を含む。用語「変調データ信号」又は信号は、その特性セットの１又は複数を有する、又は１又は複数の信号の中の情報をエンコードするような方法で変更された信号を表す。例として限定ではなく、通信媒体は、有線ネットワーク又は直接有線接続のような有線媒体、並びに音響、ＲＦ、赤外線のような無線媒体及び他の無線媒体を含む。
【０１５５】
さらに、本願明細書に開示の態様に関連して記載された方法又はアルゴリズムの動作は、ハードウェアで直接、プロセッサにより実行されるソフトウェアモジュールで、又はそれらの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は任意の他の形式の従来知られている記憶媒体の中に存在し得る。例示的な記憶媒体は、プロセッサに結合され得る。したがって、プロセッサは、記憶媒体から情報をリードし、及びそれに情報をライトできる。代替で、記憶媒体は、プロセッサに統合されうる。さらに、幾つかの態様では、プロセッサ及び記憶媒体は、ＡＳＩＣの中に存在し得る。さらに、ＡＳＩＣは、ユーザ端末の中に存在し得る。代替で、プロセッサ及び記憶媒体は、ユーザ端末の中のディスクリートコンポーネントとして存在し得る。さらに、幾つかの態様では、方法又はアルゴリズムのステップ及び／又は動作は、コンピュータプログラム製品に組み込まれ得る、機械可読媒体及び／又はコンピュータ可読媒体にあるコード及び／又は命令の１つ又は任意の組合せ又はセットとして存在し得る。
【０１５６】
要約に記載されるものを含む本開示の説明した実施形態の上述の説明は、包括的であること、又は開示の実施形態を開示の詳細な形式に限定することを意図しない。特定の実施形態及び例が説明の目的で本願明細書に記載されたが、当業者に認識されるように、種々の変形が、可能であり、このような実施形態及び例の範囲に含まれると考えられる。
【０１５７】
これに監視、開示の主題は、種々の実施形態及び対応する図面に関連して記載されたが、適切な場合には、他の同様の実施形態が使用され、又は開示の主題から逸脱することなく開示の主題の同じ、同様の、代替の、又は下位機能を実行するために変形及び追加が記載の実施形態に行われ得ることが理解されるべきである。したがって、開示の主題は、本願明細書に記載の任意の単一の実施形態に限定されるべきではなく、むしろ、以下の添付の請求の範囲に従う広さ及び範囲にあると考えられるべきである。
【０１５８】
特に、上述のコンポーネント（アセンブリ、装置、回路、システム等）により実行される種々の機能に関し、このようなコンポーネントを記載するために使用される用語（「手段」についての言及を含む）は、特に示されない限り、本願明細書で説明した本開示の例示的な実装方法の中の機能を実行する開示の構造と構造的に等化でなくても、記載のコンポーネントの特定の機能を実行する任意のコンポーネント又は構造（例えば、機能的等価物）に対応することが意図される。さらに、特定の特徴が幾つかの実装のうちの１つのみに関して開示される場合があるが、このような特徴は、任意の所与の又は特定の用途のために望ましく有利な場合には、他の実装の１又は複数の他の特徴又は態様と組み合わせられても良い。
【図１】
0006386168.tif 000002
【図２】
0006386168.tif 000003
【図３】
0006386168.tif 000004
【図４】
0006386168.tif 000005
【図５】
0006386168.tif 000006
【図６】
0006386168.tif 000007
【図７】
0006386168.tif 000008